(57)【要約】  たとえば、モバイル通信デバイスにおいてまたはそれとともに使用するためのなど、ワイヤレスネットワーク関係データの改善された効率のクラウドソーシングのための１つまたは複数の動作または技法を容易にするかまたはサポートするために全体的にまたは部分的に利用され得る、例示的な方法、装置、または製造品が本明細書で開示される。【選択図】  図２
2018534551.tif 000002
【特許請求の範囲】
【請求項１】
モバイルデバイスにおける方法であって、
ワイヤレストランシーバによって送信され、前記モバイルデバイスにおいて受信された１つまたは複数の信号に少なくとも部分的に基づいて、前記ワイヤレストランシーバの観測値を取得することと、
前記観測値が、十分な正確さの位置フィックスの時間期間内に取得された場合、サーバに１つまたは複数のメッセージを送信することと、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されない場合、前記モバイルデバイスのメモリに記憶された１つまたは複数のパラメータに少なくとも一部に基づいて、前記サーバへの前記観測値の送信を制限することと
を備える、方法。
【請求項２】
前記モバイルデバイスの前記メモリに記憶された前記１つまたは複数のパラメータは、前記基地局トランシーバの観測値が前記サーバにおいて受信されたかどうかを示す、請求項１に記載の方法。
【請求項３】
前記１つまたは複数のパラメータが、前記モバイルデバイスのローカルデータベース中での前記ワイヤレストランシーバの存在または不在の指示を備える、請求項１に記載の方法。
【請求項４】
前記観測値の前記送信を前記制限することは、
前記ワイヤレストランシーバのためのワイヤレストランシーバ識別子が、前記モバイルデバイスのローカルデータベース中に存在するかどうかを決定することと、
前記ローカルモバイルデータベース中での前記ワイヤレストランシーバ識別子の不在に少なくとも部分的に基づいて、前記サーバに前記１つまたは複数のメッセージを送信することと
をさらに備える、請求項１に記載の方法。
【請求項５】
前記１つまたは複数のパラメータが、前記サーバから前記モバイルデバイスの前記メモリにダウンロードされる、請求項４に記載の方法。
【請求項６】
前記観測値のための指定された基準を取得することと、
前記指定された基準に少なくとも部分的に基づいて、ワイヤレス通信ネットワーク上での前記ワイヤレストランシーバの存在または不在を決定することと
をさらに備える、請求項１に記載の方法。
【請求項７】
前記指定された基準が、十分な正確さの前記位置フィックスの前記時間期間内に取得されない観測値の割合、十分な正確さの前記位置フィックスの前記時間期間内に取得された観測値の割合、ネットワーク関係リソースまたはサーバ関係リソースの利用可能性、地理的エリアまたは領域、前記モバイルデバイスのモデル、前記モバイルデバイスのタイプ、前記サーバへの前記１つまたは複数のメッセージの最後の送信またはアップロードのタイムスタンプ、ワイヤレスネットワーク関係データベースがいっぱいであることの程度、あるいはそれらの任意の組合せのうちの少なくとも１つを備える、請求項６に記載の方法。
【請求項８】
前記ワイヤレス通信ネットワーク上での前記ワイヤレストランシーバの前記存在または前記不在を前記決定することに少なくとも部分的に基づいて、ワイヤレスネットワーク関係データベースを更新することをさらに備える、請求項６に記載の方法。
【請求項９】
前記ワイヤレスネットワーク関係データベースを前記更新することが、前記ワイヤレスネットワーク関係データベースから前記ワイヤレストランシーバの属性を削除することを備える、請求項８に記載の方法。
【請求項１０】
前記観測値が、前記ワイヤレストランシーバのためのワイヤレストランシーバ識別子、前記ワイヤレストランシーバの送信電力レベル、前記ワイヤレストランシーバによって送信された前記１つまたは複数の信号の受信信号強度測定値、前記ワイヤレストランシーバによって送信された前記１つまたは複数の信号の到着時間測定値、前記ワイヤレストランシーバによって送信された前記１つまたは複数の信号の飛行時間測定値、前記ワイヤレストランシーバによって送信された前記１つまたは複数の信号の到来角測定値、前記ワイヤレストランシーバによって送信された前記１つまたは複数の信号のラウンドトリップ時間測定値、あるいはそれらの任意の組合せのうちの少なくとも１つを備える、請求項１に記載の方法。
【請求項１１】
十分な正確さの前記位置フィックスが、グローバルナビゲーション衛星システム（ＧＮＳＳ）を介して取得された位置フィックスを備える、請求項１に記載の方法。
【請求項１２】
前記ワイヤレストランシーバが、ＩＥＥＥ８０２．１１規格ＷＬＡＮアクセスポイント、フェムトセル、ピコセル、またはそれらの任意の組合せのうちの少なくとも１つを備える、請求項１に記載の方法。
【請求項１３】
前記モバイルデバイスの前記メモリに記憶された前記１つまたは複数のパラメータが、前記ワイヤレストランシーバのためのワイヤレストランシーバ識別子、前記ワイヤレストランシーバのロケーション、前記ワイヤレストランシーバの推定ロケーション不確実性、前記ワイヤレストランシーバのカバレージエリア、またはそれらの任意の組合せのうちの少なくとも１つを備える、請求項１に記載の方法。
【請求項１４】
ワイヤレスネットワーク関係データベースがいっぱいであることの程度に少なくとも部分的に基づいて、前記サーバへの、十分な正確さの前記位置フィックスの前記時間期間内に取得された前記観測値の送信を制限することをさらに備える、請求項１に記載の方法。
【請求項１５】
ワイヤレストランシーバによって送信され、モバイルデバイスにおいて受信された１つ複数の信号に少なくとも部分的に基づいて、前記ワイヤレストランシーバの観測値を取得するための手段と、
前記観測値が、十分な正確さの位置フィックスの時間期間内に取得された場合、サーバに１つまたは複数のメッセージを送信するための手段と、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されない場合、前記モバイルデバイスのメモリに記憶された１つまたは複数のパラメータに少なくとも一部に基づいて、前記サーバへの前記観測値の送信を制限するための手段と
を備える装置。
【請求項１６】
前記観測値の前記送信を制限するための前記手段は、
前記ワイヤレストランシーバのためのワイヤレストランシーバ識別子が、前記モバイルデバイスのローカルデータベース中に存在するかどうかを決定するための手段と、
前記ローカルモバイルデータベース中での前記ワイヤレストランシーバ識別子の不在に少なくとも部分的に基づいて、前記サーバに前記１つまたは複数のメッセージを送信するための手段と
をさらに備える、請求項１５に記載の装置。
【請求項１７】
前記観測値のための指定された基準を取得するための手段と、
前記指定された基準に少なくとも部分的に基づいて、ワイヤレス通信ネットワーク上での前記ワイヤレストランシーバの存在または不在を決定するための手段と
をさらに備える、請求項１５に記載の装置。
【請求項１８】
前記指定された基準が、十分な正確さの前記位置フィックスの前記時間期間内に取得されない観測値の割合、十分な正確さの前記位置フィックスの前記時間期間内に取得された観測値の割合、ネットワーク関係リソースまたはサーバ関係リソースの利用可能性、地理的エリアまたは領域、前記モバイルデバイスのモデル、前記モバイルデバイスのタイプ、前記サーバへの前記１つまたは複数のメッセージの最後の送信またはアップロードのタイムスタンプ、ワイヤレスネットワーク関係データベースがいっぱいであることの程度、あるいはそれらの任意の組合せのうちの少なくとも１つを備える、請求項１７に記載の装置。
【請求項１９】
前記ワイヤレス通信ネットワーク上での前記ワイヤレストランシーバの前記存在または前記不在を前記決定することに少なくとも部分的に基づいて、ワイヤレスネットワーク関係データベースを更新するための手段をさらに備える、請求項１７に記載の装置。
【請求項２０】
前記観測値が、前記ワイヤレストランシーバのためのワイヤレストランシーバ識別子、前記ワイヤレストランシーバの送信電力レベル、前記ワイヤレストランシーバによって送信された前記１つまたは複数の信号の受信信号強度測定値、前記ワイヤレストランシーバによって送信された前記１つまたは複数の信号の到着時間測定値、前記ワイヤレストランシーバによって送信された前記１つまたは複数の信号の飛行時間測定値、前記ワイヤレストランシーバによって送信された前記１つまたは複数の信号の到来角測定値、前記ワイヤレストランシーバによって送信された前記１つまたは複数の信号のラウンドトリップ時間測定値、あるいはそれらの任意の組合せのうちの少なくとも１つを備える、請求項１５に記載の装置。
【請求項２１】
前記モバイルデバイスの前記メモリに記憶された前記１つまたは複数のパラメータが、前記ワイヤレストランシーバのためのワイヤレストランシーバ識別子、前記ワイヤレストランシーバのロケーション、前記ワイヤレストランシーバの推定ロケーション不確実性、前記ワイヤレストランシーバのカバレージエリア、またはそれらの任意の組合せのうちの少なくとも１つを備える、請求項１５に記載の装置。
【請求項２２】
前記ワイヤレストランシーバの前記ロケーションが、グローバル座標系、ローカル座標系、またはそれらの任意の組合せのうちの少なくとも１つに関して取得される、請求項２１に記載の装置。
【請求項２３】
電子通信ネットワークと通信するためのワイヤレストランシーバと、
メモリにおよび前記ワイヤレストランシーバに結合された１つまたは複数のプロセッサと
を備えるモバイルデバイス
を備える装置であって、ここにおいて、前記１つまたは複数のプロセッサは、
ワイヤレストランシーバによって送信され、前記モバイルデバイスにおいて受信された１つ複数の信号に少なくとも部分的に基づいて、前記ワイヤレストランシーバの観測値を取得することと、
前記観測値が、十分な正確さの位置フィックスの時間期間内に取得された場合、サーバに１つまたは複数のメッセージを送信することと、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されない場合、前記モバイルデバイスのメモリに記憶された１つまたは複数のパラメータに少なくとも一部に基づいて、前記サーバへの前記観測値の送信を制限することと
を行うように構成された、装置。
【請求項２４】
前記サーバへの前記観測値の前記送信を前記制限することを行うように構成された前記１つまたは複数のプロセッサは、
前記ワイヤレストランシーバのためのワイヤレストランシーバ識別子が、前記モバイルデバイスのローカルデータベース中に存在するかどうかを決定することと、
前記ローカルモバイルデータベース中での前記ワイヤレストランシーバ識別子の不在に少なくとも部分的に基づいて、前記サーバに前記１つまたは複数のメッセージを送信することと
を行うようにさらに構成された、請求項２３に記載の装置。
【請求項２５】
前記１つまたは複数のプロセッサが、
前記観測値のための指定された基準を取得することと、
前記指定された基準に少なくとも部分的に基づいて、ワイヤレス通信ネットワーク上での前記ワイヤレストランシーバの存在または不在を決定することと
を行うようにさらに構成された、請求項２３に記載の装置。
【請求項２６】
前記指定された基準が、十分な正確さの前記位置フィックスの前記時間期間内に取得されない観測値の割合、十分な正確さの前記位置フィックスの前記時間期間内に取得された観測値の割合、ネットワーク関係リソースまたはサーバ関係リソースの利用可能性、地理的エリアまたは領域、前記モバイルデバイスのモデル、前記モバイルデバイスのタイプ、前記サーバへの前記１つまたは複数のメッセージの最後の送信またはアップロードのタイムスタンプ、ワイヤレスネットワーク関係データベースがいっぱいであることの程度、あるいはそれらの任意の組合せのうちの少なくとも１つを備える、請求項２５に記載の装置。
【請求項２７】
前記観測値が、前記ワイヤレストランシーバのためのワイヤレストランシーバ識別子、前記ワイヤレストランシーバの送信電力レベル、前記ワイヤレストランシーバによって送信された前記１つまたは複数の信号の受信信号強度測定値、前記ワイヤレストランシーバによって送信された前記１つまたは複数の信号の到着時間測定値、前記ワイヤレストランシーバによって送信された前記１つまたは複数の信号の飛行時間測定値、前記ワイヤレストランシーバによって送信された前記１つまたは複数の信号の到来角測定値、前記ワイヤレストランシーバによって送信された前記１つまたは複数の信号のラウンドトリップ時間測定値、あるいはそれらの任意の組合せのうちの少なくとも１つを備える、請求項２３に記載の装置。
【請求項２８】
前記モバイルデバイスの前記メモリに記憶された前記１つまたは複数のパラメータが、前記ワイヤレストランシーバのためのワイヤレストランシーバ識別子、前記ワイヤレストランシーバのロケーション、前記ワイヤレストランシーバの推定ロケーション不確実性、前記ワイヤレストランシーバのカバレージエリア、またはそれらの任意の組合せのうちの少なくとも１つを備える、請求項２３に記載の装置。
【請求項２９】
ワイヤレストランシーバによって送信され、モバイルデバイスにおいて受信された１つ複数の信号に少なくとも部分的に基づいて、前記ワイヤレストランシーバの観測値を取得することと、
前記観測値が、十分な正確さの位置フィックスの時間期間内に取得された場合、サーバに１つまたは複数のメッセージを送信することと、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されない場合、前記モバイルデバイスのメモリに記憶された１つまたは複数のパラメータに少なくとも一部に基づいて、前記サーバへの前記観測値の送信を制限することと
を行うためにプロセッサによって実行可能な命令を有する非一時的記憶媒体
を備える物品。
【請求項３０】
前記サーバへの前記観測値の前記送信を前記制限することを行うために前記プロセッサによって実行可能な命令を有する前記非一時的記憶媒体は、
前記ワイヤレストランシーバのためのワイヤレストランシーバ識別子が、前記モバイルデバイスのローカルデータベース中に存在するかどうかを決定することと、
前記ローカルモバイルデータベース中での前記ワイヤレストランシーバ識別子の不在に少なくとも部分的に基づいて、前記サーバに前記１つまたは複数のメッセージを送信することと
を行うための命令をさらに含む、請求項２９に記載の物品。
【発明の詳細な説明】
【技術分野】
【０００１】
関連事項
本ＰＣＴ出願は、その全体が参照により本明細書に組み込まれる、２０１５年９月２５日に出願された「EFFICIENCY CROWDSOURCING OF WIRELESS NETWORK-RELATED DATA」と題する米国非仮特許出願第１４／８６６，８２７号の利益および優先権を主張する。
【０００２】
[0001]本開示は、一般にモバイル通信デバイスの位置またはロケーション推定に関し、より詳細には、モバイル通信デバイスにおいてまたはそれらとともに使用するためのワイヤレスネットワーク関係データの改善された効率のクラウドソーシングに関する。
【背景技術】
【０００３】
[0002]たとえば、セルラー電話、ポータブルナビゲーションユニット、ラップトップコンピュータ、携帯情報端末など、モバイル通信デバイスが、日々、より一般的になりつつある。たとえば、ロケーションアウェアセルラー電話、スマート電話など、いくつかのモバイル通信デバイスは、様々なシステムから取得されるかまたは集められた測位支援データを与えることによって、ユーザがそれらの地理的ロケーションを推定するのを支援し得る。たとえば、いくつかの事例では、いくつかのモバイル通信デバイスは、セルラー電話または他のワイヤレス通信ネットワークを介して、全地球測位システム（ＧＰＳ）または他の同様のグローバルナビゲーション衛星システム（ＧＮＳＳ）、セルラー基地局など、衛星測位システム（ＳＰＳ）からワイヤレス信号を獲得することによって、それらの地理的ロケーションまたはいわゆる「位置フィックス（position fix）」の推定値を取得し得る。獲得されたワイヤレス信号は、たとえば、モバイル通信デバイスによってまたはそれにおいて処理され得、それのロケーションは、アドバンストフォワードリンクトリラテラレーション（ＡＦＬＴ：Advanced Forward Link Trilateration）、観測到着時間差（ＯＴＤＯＡ：Observed Time Difference of Arrival）、基地局識別など、知られている技法を使用して推定され得る。
【０００４】
[0003]時々、たとえば、ＡＦＬＴ、ＯＴＤＯＡ、または同様の技法を介したモバイル通信デバイスのロケーション推定を容易にするかまたはサポートするためなどの、ワイヤレスネットワーク関係データが、１つまたは複数のクラウドソーシング手法を使用するような、何らかの様式で収集され得る。収集されたデータは、たとえば、ロケーションベースサービス（ＬＢＳ）、ワイヤレス通信サービスプロバイダなどに関連し得る、好適なデータベースに累積または記憶され得る。データベースは、たとえば、ワイヤレス送信機のロケーション（たとえば、緯度経度座標など）、識別する（一意の識別番号など）を備え得る。ワイヤレスネットワーク関係データは、たとえば、位置特定を助けるかまたは支援するために、測位支援メッセージ中でモバイル通信デバイスに与えられ得る。しかしながら、いくつかの事例では、たとえばクラウドソーシングを介したなどの、データ収集プロセスは、ワイヤレス通信リンクにおける帯域幅、モバイル通信デバイスのメモリスペース、バッテリー寿命など、利用可能なリソースに著しく負担を課し得、セルラーデータ使用率、関連するコストまたはデータ料金などを増加させ得る。
【０００５】
[0004]以下の図を参照しながら非限定的で非網羅的な態様が説明され、ここにおいて、別段に規定されていない限り、様々な図の全体を通して、同様の参照番号は同様の部分を指す。
【図面の簡単な説明】
【０００６】
【図１】[0005]例示的な動作環境の一実装形態に関連する特徴を示す概略図。
【図２】[0006]ワイヤレスネットワーク関係データの改善された効率のクラウドソーシングのための技法を容易にするかまたはサポートするために実行され得る例示的なプロセスの一実装形態を示す流れ図。
【図３】[0007]モバイルデバイスに関連する例示的なコンピューティング環境の一実装形態を示す概略図。
【図４】[0008]サーバに関連する例示的なコンピューティング環境の一実装形態を示す概略図。
【発明の概要】
【０００７】
[0009]例示的な実装形態は、ロケーション関係データの選択的クラウドソーシングのための技法に関する。一実装形態では、方法は、ワイヤレストランシーバによって送信され、モバイルデバイスにおいて受信された１つ複数の信号に少なくとも部分的に基づいて、ワイヤレストランシーバの観測値を取得することと、観測値が、十分な正確さの位置フィックスの時間期間内に取得された場合、サーバに１つまたは複数のメッセージを送信することと、１つまたは複数のメッセージが、位置フィックスに少なくとも部分的に基づいて決定されたモバイルデバイスの推定されたロケーションをもつ観測値を備える、観測値が、十分な正確さの位置フィックスの時間期間内に取得されない場合、モバイルデバイスのメモリに記憶された１つまたは複数のパラメータに少なくとも一部に基づいて、サーバへの観測値の送信を制限することとを備え得る。
【０００８】
[0010]別の実装形態では、装置は、ワイヤレストランシーバによって送信され、モバイルデバイスにおいて受信された１つ複数の信号に少なくとも部分的に基づいて、ワイヤレストランシーバの観測値を取得するための手段と、観測値が、十分な正確さの位置フィックスの時間期間内に取得された場合、サーバに１つまたは複数のメッセージを送信するための手段と、１つまたは複数のメッセージが、位置フィックスに少なくとも部分的に基づいて決定されたモバイルデバイスの推定されたロケーションをもつ観測値を備える、観測値が、十分な正確さの位置フィックスの時間期間内に取得されない場合、モバイルデバイスのメモリに記憶された１つまたは複数のパラメータに少なくとも一部に基づいて、サーバへの観測値の送信を制限するための手段とを備え得る。
【０００９】
[0011]また別の実装形態では、装置は、電子通信ネットワークと通信するためのワイヤレストランシーバと、ワイヤレストランシーバによって送信され、モバイルデバイスにおいて受信された１つ複数の信号に少なくとも部分的に基づいて、ワイヤレストランシーバの観測値を取得することと、観測値が、十分な正確さの位置フィックスの時間期間内に取得された場合、サーバに１つまたは複数のメッセージを送信することと、１つまたは複数のメッセージが、位置フィックスに少なくとも部分的に基づいて決定されたモバイルデバイスの推定されたロケーションをもつ観測値を備える、観測値が、十分な正確さの位置フィックスの時間期間内に取得されない場合、モバイルデバイスのメモリに記憶された１つまたは複数のパラメータに少なくとも一部に基づいて、サーバへの観測値の送信を制限することとを行うための、メモリに結合された１つまたは複数プロセッサとを備える、モバイルデバイスを備え得る。
【００１０】
[0012]また別の実装形態では、物品は、ワイヤレストランシーバによって送信され、モバイルデバイスにおいて受信された１つ複数の信号に少なくとも部分的に基づいて、ワイヤレストランシーバの観測値を取得することと、観測値が、十分な正確さの位置フィックスの時間期間内に取得された場合、サーバに１つまたは複数のメッセージを送信することと、１つまたは複数のメッセージが、位置フィックスに少なくとも部分的に基づいて決定されたモバイルデバイスの推定されたロケーションをもつ観測値を備える、観測値が、十分な正確さの位置フィックスの時間期間内に取得されない場合、モバイルデバイスのメモリに記憶された１つまたは複数のパラメータに少なくとも一部に基づいて、サーバへの観測値の送信を制限することとを行うためにプロセッサによって実行可能な命令を有する非一時的記憶媒体を備え得る。ただし、これらは例示的な実装形態にすぎず、請求される主題は、これらの特定の実装形態に限定されないことを理解されたい。
【発明を実施するための形態】
【００１１】
[0013]以下の詳細な説明では、請求される主題の完全な理解を与えるために多数の具体的な詳細が記載される。ただし、請求される主題は、これらの具体的な詳細なしに実施され得ることが当業者には理解されよう。他の事例では、請求される主題を不明瞭にしないように、当業者に知られているであろう方法、装置、またはシステムは詳細に説明されていない。
【００１２】
[0014]ワイヤレスネットワーク関係データの改善された効率のクラウドソーシングのための１つまたは複数の動作または技法を容易にするかまたはサポートするために全体的にまたは部分的に実装され得る、いくつかの例示的な方法、装置、または製造品が本明細書で開示される。後で見られるように、いくつかの事例では、ワイヤレスネットワーク関係データは、たとえば、基地局トランシーバ、アクセスポイントなど、ワイヤレストランシーバの観測値を含み得る。このコンテキストでは、「観測値」は、ワイヤレストランシーバによって送信され、モバイルデバイスにおける観測受信機によって獲得されたワイヤレス信号の測定された属性または特性を指す。たとえば、観測値は、ワイヤレストランシーバから検出または獲得されたワイヤレス信号から取得された、セルラー識別番号（セルＩＤ）、アクセスポイント識別子など、１つまたは複数のワイヤレストランシーバ識別子、送信電力レベル、ワイヤレス信号の特性（たとえば、受信信号強度、到着時間、飛行時間、到来角など）などを含み得る。時々、ワイヤレストランシーバの１つまたは複数の観測値は、たとえば、そのような観測値のある時間期間内に取得された位置フィックスがある正確さしきい値を満たすかまたは超える場合など、位置フィックスとペアリングされるかまたは相関させられ得る。以下で説明されるように、これらの１つまたは複数の観測値は、ワイヤレスネットワーク関係データの一部であり得る。いくつかの事例では、ワイヤレストランシーバの１つまたは複数の観測値は、同じく後で見られるように、たとえば、観測モバイル通信デバイスの実質的に同時のＧＮＳＳ位置フィックスとペアリングされるかまたは相関させられ得、ワイヤレスネットワーク関係データの一部でもあり得る。
【００１３】
[0015]本明細書で使用される、「モバイルデバイス」、「モバイル通信デバイス」、「クラウドソーシングデバイス」、「ロケーションアウェアモバイルデバイス」、または同様の用語は、互換的に使用され得、変化する位置またはロケーションを時々有し得る、任意の種類の専用コンピューティングプラットフォームまたは装置を指すことがある。いくつかの事例では、モバイル通信デバイスは、たとえば、１つまたは複数の通信プロトコルに従う情報のワイヤレス送信または受信を通して、モバイルまたはそれ以外の他のデバイスと通信することが可能であり得る。例示として、本明細書では単にモバイルデバイスと呼ばれることがある専用モバイル通信デバイスは、たとえば、セルラー電話、スマート電話、携帯情報端末（ＰＤＡ）、ラップトップコンピュータ、パーソナルエンターテインメントシステム、タブレットパーソナルコンピュータ（ＰＣ）、パーソナルオーディオまたはビデオデバイス、パーソナルナビゲーションデバイスなどを含み得る。ただし、これらは、ワイヤレスネットワーク関係データの改善された効率のクラウドソーシングのための１つまたは複数の動作または技法を実装するために少なくとも部分的に使用され得るモバイルデバイスの例にすぎず、請求される主題はこの点について限定されないことを諒解されたい。また、「位置」および「ロケーション」という用語は、本明細書では互換的に使用され得ることに留意されたい。
【００１４】
[0016]前に言及されたように、時々、当該のエリアまたは領域中での測位を容易にするかまたはサポートするために、基地局トランシーバ、無線ビーコン（たとえば、ＩＥＥＥ８０２．１１規格ワイヤレスローカルエリアネットワーク（ＷＬＡＮなど）アクセスポイントなど）など、関連するワイヤレストランシーバの比較的包括的なまたはさもなければ十分なデータベースを開発することが有用であり得る。関連する無線ソースの専用調査は、たとえば、シミュレーションまたは算出コスト、関与する時間または労力など、いくつかの課題を提示し得る。したがって、示されたように、いくつかの事例では、たとえば、関連するコストを低減するためになど、１つまたは複数のクラウドソーシング技法が、少なくとも部分的に採用され得る。このコンテキストでは、「クラウドソーシングする」、「クラウドソーシング」または同様の用語は、当該のエリアまたは領域内を進む間に、たとえば、コロケートされた（co-located）モバイルデバイスを介してなど、１つまたは複数のエージェント、クライアント、またはユーザによって、適用可能なデータを測定、収集、生成、通信するなどのプロセスを指す。「エージェント」、「ユーザ」、または「クライアント」という用語は、本明細書では互換的に使用され、１つまたは複数のクラウドソーシング技法を容易にするかまたはサポートし得る、人、デバイス、または適用例を指し得る。たとえば、時々、モバイルデバイスのエージェント、クライアント、またはユーザは、所望のタスクを実行し（たとえば、ワイヤレストランシーバの観測値を収集する、位置フィックスを通信するなど）、そうすることに対して何らかの様式で報酬を受け得る。随意にまたは代替的に、ワイヤレスネットワーク関係データは、たとえば、モバイルデバイスのロケーションアウェアユニット、メモリなどから、許可されると、（たとえば、サーバ、ＬＢＳなどによって）抽出され得る。実装形態に応じて、当該のエリアまたは領域は、たとえば、野外ベニュー（たとえば、アンフィシアターなど）などの屋外環境、部分的にまたは実質的に囲まれたエリア（たとえば、バルコニー、ビルの谷間など）、屋内または同様の環境（たとえば、建築物、建築物内のエリアなど）など、あるいはそれらの任意の組合せを備えるか、またはそれに関連し得る。
【００１５】
[0017]一般に、たとえば、データベースが空の状態にあるか、またはいっぱいに近い状態にない（たとえば、データベースは、あるキャリア、あるエアインターフェースなどについてはいっぱいであると見なされ得るが、別のキャリア、エアインターフェースなどについてはいっぱいであると見なされないことがある）間になど、ワイヤレストランシーバ（たとえば、基地局トランシーバなど）の観測値を用いてワイヤレスネットワーク関係データベースを生成またはポピュレートする（populating）際に、接近された数個のクラウドソーシングが少なくとも部分的に採用され得る。１つの手法は、たとえば、好適なサーバに対する十分な正確さの位置フィックスのある時間期間内に、および／またはそれと実質的に同時に取得された現在観測されているワイヤレストランシーバのワイヤレストランシーバ識別子（たとえば、セルＩＤ、アクセスポイント識別子またはＩＤなど）を収集およびフォワーディングすることなど、クラウドソーシング観測を伴い得る。このコンテキストでは、位置フィックスは、たとえば、それが、現在観測されているワイヤレストランシーバの識別および／または位置特定を容易にするかまたはサポートする場合、十分に正確であると見なされ得る。いくつかの事例では、位置フィックスは、それがモバイルデバイスの実際の位置からある距離内にある場合も、十分に正確と見なされ得、これは、推定された受信機位置の誤差の標準偏差が、好適な正確さしきい値内にあることを意味する。そのようなしきい値は、実験的に決定され得、たとえば、あらかじめ定義または構成されるか、あるいはさもなければ特定の適用例、地理的エリア、ロケーションベースサービス、大気状態、モバイルデバイスのタイプまたはモデルなどに応じて何らかの様式で動的に定義され得る。したがって、一実装形態では、位置フィックスは、１つの可能な例として、それが、１．０メートルの正確さしきい値を満たすかまたは超える場合、十分に正確と見なされ得、これは、モバイルデバイスの推定位置が、モバイルデバイスの実際の位置から１．０メートル以下内にあることを意味する。別の実装形態では、位置フィックスは、それが、たとえば、５．０メートルの正確さしきい値を満たすかまたは超える場合、十分に正確と見なされ得る。また別の実装形態では、たとえば、最高２０．０メートルの正確さしきい値が、少なくとも部分的に使用されるか、またはさもなければ考慮され得る。いくつかの事例では、ＧＮＳＳまたは同様のシステムを介して取得された位置フィックスが、十分に正確であると見なされ得る。
【００１６】
[0018]本明細書で使用される「実質的に同時に」は、実質的に同じ時間期間中に取得または獲得された２つまたはそれ以上の信号に関する相互時間参照の概念を指すことがある。いくつかの事例では、相互時間参照は、たとえば、２つまたはそれ以上の信号の獲得が、電子通信または他の信号処理に起因する時間の量において異なり得るシグナリングシーケンスを備え得る。限定ではなく例として、実質的に同時の信号は、たとえば、互いに５０ミリ秒以下、１秒、１分など内に取得または獲得され得る。請求される主題は、もちろん、そのように限定されない。したがって、時々、観測のある時間期間内に、および／またはそれと実質的に同時にＧＮＳＳから取得されたモバイルデバイスの位置フィックスとペアリングされるかまたは相関させられたクラウドソーシングされた観測値は、たとえば、エリアまたは領域のためのワイヤレスネットワーク関係データベース中でなど、何らかの様式でアグリゲートおよび／または記憶され得、その後、エリアまたは領域内での位置特定のためにモバイルデバイスに与えられ得る。
【００１７】
[0019]いくつかの事例では、時間期間は、あらかじめ定義されるかまたは動的に決定され得る時間しきい値を使用して確立され得る。たとえば、時間しきい値は、ほんの１つの可能な実装形態を示すと、最後の位置フィックスの３０分内に設定され得る。
【００１８】
[0020]時間期間は、モバイルデバイスの移動、最後の位置フィックスの正確さ、モバイルデバイスの履歴パターン、またはそれらの任意の組合せに少なくとも部分的に基づいて動的に決定され得る。たとえば、時間しきい値は、モバイルデバイスが移動しなかった場合、最後の位置フィックスの３０分内に設定され得、これは、近くのワイヤレストランシーバからのセルＩＤ、ワイヤレス信号のフィンガープリント、モバイルデバイス上の慣性センサーを使用することなど、様々な手法に少なくとも部分的に基づいて決定され得る。しかしながら、別の可能な実装形態として、モバイルデバイスが移動した場合、時間しきい値は５分に設定され得る。
【００１９】
[0021]別の手法は、たとえば、ＧＮＳＳ位置フィックスなど、十分な正確さの１つまたは複数の位置フィックスのある時間期間内に、および／またはそれらと実質的に同時に取得された位置フィックスとペアリングされないかまたは相関させられないクラウドソーシング観測値を伴い得る。ここで、そのような観測値を受信すると、サーバは、たとえば、観測値から取得されたワイヤレストランシーバ識別子（たとえば、セルＩＤ、アクセスポイントＩＤなど）に少なくとも部分的に基づいて、ワイヤレストランシーバについての緯度経度位置を与えるサードパーティサービスと通信し、および／またはそれを利用し得る。サードパーティサービスによって取得された情報を使用して、サーバは、たとえば、モバイルデバイスから受信された観測値の大部分が、位置フィックス（たとえば、ＧＮＳＳなど）とペアリングされないかまたは相関させられないので、より迅速にそれのデータベースをポピュレートすることが可能であり得る。しかしながら、サーバが、ワイヤレストランシーバのパラメータまたは属性（たとえば、セルＩＤ、アクセスポイントＩＤ、ロケーションなど）を用いてそれのデータベースをポピュレートすると、ＧＮＳＳ位置フィックスのある時間期間内に、および／またはそれらと実質的に同時に取得された位置フィックス内でとペアリングされないかまたは相関させられないこのトランシーバの追加の観測値は、無関係、重複、冗長などであり、したがって、まったくまたはほとんど価値がないものであり得る。とはいえ、時々、サーバは、たとえば、モバイルデバイスからのメッセージ中のそのような観測値を受信および／または収集し続け得る。これは、たとえば、動作帯域幅（たとえば、演算相互コンダクタンス増幅器（ＯＴＡ：operational transconductance amplifier）帯域幅など）を不必要に消費し、その結果、セルラーデータ使用率、関連するコストまたはデータ料金などの増加を生じ得る。冗長観測値を収集すること、報告することなどは、限られた電力リソース（たとえば、バッテリー式など）をもつクラウドソーシングモバイルデバイスの電力消費をも不必要に増加させ、したがって、そのようなデバイスの動作寿命または全ユーティリティに悪影響を及ぼし得る。さらに、時々、これはまた、モバイルデバイスが、たとえば、より大きい値のものであり得る後続の観測値（たとえば、新しいワイヤレストランシーバの観測値、ＧＮＳＳ位置フィックスをもつ観測値など）を記憶するためになど、使用することが可能であり得るメモリの量を低減し得る。したがって、クラウドソーシングモバイルデバイスの電力消費を改善し、関連するコスト、セルラーデータ料金などを低減しながら、たとえば、ワイヤレスネットワーク関係データのクラウドソーシングを可能にするかまたはサポートすることなどによって、よりロバスト（robust）な測位を実装し得る１つまたは複数の方法、システム、または装置を開発することが望ましいことがある。
【００２０】
[0022]したがって、以下でより詳細に説明されるように、一実装形態では、コロケートされたモバイルデバイスのユーザの現在ロケーションを囲むワイヤレストランシーバの、たとえば、ワイヤレストランシーバ識別子（たとえば、セルＩＤ、アクセスポイントＩＤなど）など、１つまたは複数のパラメータまたは属性が、たとえば、好適なサーバによって、好適なネットワーク関係データベースなどからモバイルデバイスに与えられ得る。このコンテキストでは、ワイヤレストランシーバ識別子は、基地局トランシーバ、アクセスポイントなどのワイヤレストランシーバによってカバーされたセルまたはセクタなど、ワイヤレストランシーバに割り当てられおよび／または関係する（たとえば、値、要素などを介した）一意の識別番号、基地局トランシーバ、アクセスポイントなどのワイヤレストランシーバのロケーション、関連するワイヤレス通信ネットワークの動作特性などを指す。セルＩＤ、アクセスポイントＩＤなど、ワイヤレストランシーバ識別子は、一般に知られており、ここではより詳細に説明される必要はない。１つまたは複数のパラメータまたは属性が、たとえば、モバイルデバイスによってローカルメモリにダウンロードされ、モバイルデバイスのローカルデータベースに記憶され得る。次いで、モバイルデバイスは、当該のエリアまたは領域内を進む間に、ワイヤレストランシーバの観測値を、たとえば、収集し、好適なサーバにフォワーディングするなど、選択的にクラウドソーシングするために、それのローカルモバイルデータベースを参照し得る。ＧＮＳＳ位置フィックスのある時間期間内に、および／またはそれらと実質的に同時に取得された位置フィックスとペアリングされるかまたは相関させられた観測値は、たとえば、いくつかの事例では、そのようなワイヤレスネットワーク関係データが、より有用であるおよび／またはより大きい価値があると見なされ得るので、モバイルデバイスのローカルデータベースを参照することなしに収集され、サーバにフォワーディングされ得る。ＧＮＳＳ位置フィックスのある時間期間内に、および／またはそれら実質的に同時に取得された位置フィックスとペアリングされないかまたは相関させられない観測値に関して、モバイルデバイスは、たとえば、現在観測されているワイヤレストランシーバがモバイルデバイスのローカルデータベース中に存在しない場合、そのようなデータをクラウドソーシングし得る。モバイルデバイスはまた、たとえば、現在観測されているワイヤレストランシーバが、モバイルデバイスのローカルデータベース中に存在する場合、そのような存在が、トランシーバが前にクラウドソーシングされたことを示し得るので、そのような観測値の送信を制限し得る。時々、モバイルデバイスはまた、同じく後で見られるように、たとえば、特定のワイヤレストランシーバが、当該のエリアまたは領域中にもはや存在しないかまたはその中でもはやアクティブでないかどうかを決定するために、あるいは特定のワイヤレストランシーバが、そのようなエリアまたは領域内でまだアクティブであることを確認するために、ＧＮＳＳ位置フィックスのある時間期間内に、および／またはそれらと実質的に同時に取得された位置フィックスとペアリングされないかまたは相関させられない観測値をクラウドソーシングし得る。したがって、示されたように、時々、ワイヤレスネットワーク関係データの改善された効率のクラウドソーシングは、たとえば、当該のエリアまたは領域について、ワイヤレストランシーバのデータベース、無線ビーコンなどをより効果的または効率的に構成あるいは更新するのを助け得、より良いクラウドソーシングユーザエクスペリエンスなどを提供するかまたは与え得る。
【００２１】
[0023]図１は、ワイヤレスネットワーク関係データの改善された効率のクラウドソーシングのための１つまたは複数のプロセスまたは動作を可能にするかあるいはサポートすることが可能な例示的な動作環境１００の一実装形態に関連する特徴を示す概略図である。動作環境１００は、本明細書では、公衆ネットワーク（たとえば、インターネット、ワールドワイドウェブ）、プライベートネットワーク（たとえば、イントラネット）、ワイヤレスローカルエリアネットワーク（ＷＬＡＮなど）など、様々な電子通信ネットワークまたはそのようなネットワークの組合せのコンテキストにおいて全体的にまたは部分的に実装され得る非限定的な例として説明されることを諒解されたい。また、請求される主題は屋外実装形態に限定されないことに留意されたい。たとえば、時々、本明細書で説明される１つまたは複数の動作または技法は、少なくとも部分的に、ビルの谷間、タウンスクエア、アンフィシアター、駐車場、屋上庭園、パティオなど、部分的にまたは実質的に囲まれたエリアを含み得る屋内のような環境において実行され得る。時々、本明細書で説明される１つまたは複数の動作または技法は、少なくとも部分的に、屋内環境において実行され得る。
【００２２】
[0024]図示のように、動作環境１００は、たとえば、１つまたは複数の通信プロトコルに従って通信リンク１１０を介してモバイルデバイス１０２と通信することが可能な、１つまたは複数の衛星１０４、基地局トランシーバ１０６、ローカルトランシーバ１０８などの１つまたは複数のワイヤレストランシーバを備え得る。衛星１０４は、たとえば、米国の全地球測位システム（ＧＰＳ）、ロシアのＧＬＯＮＡＳＳシステム、欧州のＧａｌｉｌｅｏシステム、ならびに衛星システムの組合せからの衛星を利用し得る任意のシステム、または将来開発される任意の衛星システムなど、１つまたは複数の衛星測位システム（ＳＰＳ）に関連し得る。たとえば、衛星１０４は、ワイドエリアオーグメンテーションシステム（ＷＡＡＳ：Wide Area Augmentation System）、欧州静止ナビゲーションオーバーレイサービス（ＥＧＮＯＳ：European Geostationary Navigation Overlay Service）、準天頂衛星システム（ＱＺＳＳ）など、いくつかの地域航法衛星システム（ＲＮＳＳ：regional navigation satellite system）のうちのいずれか１つからのものであり得る。基地局トランシーバ１０６、ローカルトランシーバ１０８などは、たとえば、同じまたは同様のタイプのものであり得るか、あるいは実装形態に応じて、アクセスポイント、無線ビーコン、セルラー基地局、基地局トランシーバ、フェムトセル、ピコセルなど、異なるタイプのデバイスを表し得る。
【００２３】
[0025]図示されていないが、いくつかの事例では、動作環境１００は、たとえば、より多数の基地局トランシーバ１０６、ローカルトランシーバ１０８などを含み得る。１つまたは複数の基地局トランシーバ１０６、ローカルトランシーバ１０８などは、ワイヤレス信号を送信ならびに受信することが可能であり得ることに留意されたい。特定の実装形態では、１つまたは複数のローカルトランシーバ１０８は、基地局トランシーバ１０６によって可能にされるレンジにあるよりも短いレンジにあるモバイルデバイス１０２と通信することが可能であり得る。たとえば、１つまたは複数のローカルトランシーバ１０８は、示されたように、屋内または同様の環境において配置され得る。１つまたは複数のローカルトランシーバ１０８は、たとえば、ワイヤレスローカルエリアネットワーク（ＷＬＡＮ、たとえば、ＩＥＥＥ規格８０２．１１ネットワークなど）またはワイヤレスパーソナルエリアネットワーク（ＷＰＡＮ、たとえば、Ｂｌｕｅｔｏｏｔｈ（登録商標）ネットワークなど）へのアクセスを与え得る。別の例示的な実装形態では、１つまたは複数ローカルトランシーバ１０８は、たとえば、セルラー通信プロトコルによる動作環境１００内での通信を可能にするかまたはサポートすることが可能なフェムトセルまたはピコセルトランシーバを備え得る。
【００２４】
[0026]いくつかの事例では、１つまたは複数の基地局トランシーバ１０６、ローカルトランシーバ１０８などは、たとえば、１つまたは複数の通信リンク１１４、１１０などを介して、好適な情報を与えることが可能な１つまたは複数のワイヤードまたはワイヤレス通信またはコンピューティングネットワークを備え得る電子通信ネットワーク１１２に動作可能に結合され得る。後で見られるように、情報は、たとえば、１つまたは複数の基地局トランシーバ１０６、ローカルトランシーバ１０８などのロケーション、識別情報、送信電力レベル、信号関係特性など、ワイヤレスネットワーク関係データ、ＧＮＳＳを介して取得された位置フィックス、信号関係測定値をもつ１つまたは複数のメッセージ、あるいはロケーション関係の、またはさもなければ動作環境１００に関連する１つまたは複数の動作またはプロセスを容易にするかまたはサポートすることが可能な、他の好適なデータを含み得る。
【００２５】
[0027]一実装形態では、ネットワーク１１２は、たとえば、モバイルデバイス１０２、１つまたは複数の基地局トランシーバ１０６、ローカルトランシーバ１０８、ならびに動作環境１００に関連する１つまたは複数のサーバなど、好適なコンピューティングプラットフォームまたはデバイス間の通信を容易にするかまたはサポートすることが可能であり得る。いくつかの事例では、サーバは、たとえば、動作環境１００に関連する１つまたは複数の動作またはプロセスを容易にするかまたはサポートすることが可能な、ロケーションサーバ１１６、測位支援サーバ１１８、ならびに全体的に１２０において示される、１つまたは複数の他のサーバ（たとえば、ナビゲーション、情報、マップ、クラウドソーシングなどのサーバなど）を含み得る。特定の実装形態では、ネットワーク１１２は、たとえば、ローカルトランシーバ１０８、（たとえば、ネットワークインターフェースなどを介した）基地局トランシーバ１０６などを介した、モバイルデバイス１０２とサーバ１１６、１１８、または１２０との間の通信を容易にすることが可能なインターネットプロトコル（ＩＰ）インフラストラクチャを備え得る。別の実装形態では、ネットワーク１１２は、モバイルデバイス１０２とのモバイルセルラー通信を容易にするために、たとえば、基地局コントローラまたはマスタスイッチングセンター（図示せず）など、セルラー通信ネットワークインフラストラクチャを備え得る。
【００２６】
[0028]ロケーションサーバ１１６は、動作環境１００内のモバイルデバイス１０２のロケーションの推定値を与え得る。ロケーションは、たとえば、ＧＮＳＳ、関連するユーザによって与えられた入力、内蔵またはリモートセンサー、無線ヒートマップ、レンジ関係測定値などを介して決定され得る。時々、モバイルデバイス１０２のロケーションは、モバイルデバイス１０２が、所与の時間においてどの基地局トランシーバ１０６、ローカルトランシーバ１０８などを使用しているかを知ることなどによって、１つまたは複数の基準点への近接度を使用して決定され得る。随意にまたは代替的に、モバイルデバイス１０２のロケーションは、たとえば、少なくとも部分的に、１つまたは複数の適用可能な技法（たとえば、デッドレコニングなど）を使用してモバイルデバイス１０２上で決定され得る。いくつかの事例では、モバイルデバイス１０２は、１つまたは複数の基地局トランシーバ１０６、ローカルトランシーバ１０８などのワイヤレストランシーバ識別子（たとえば、セルＩＤ、アクセスポイントＩＤ、ＭＡＣアドレスなど）を好適なサーバに通信し得、関連するエリアまたは領域の電子デジタルマップを与えられ得る。モバイルデバイス１０２はまた、たとえば、１つまたは複数の適切な技法を使用して、与えられたマップおよびロケーションまたは基地局トランシーバ１０６、ローカルトランシーバ１０８などに少なくとも部分的に基づいて、それのロケーションを推定し得る。
【００２７】
[0029]測位支援サーバ１１８は、たとえば、１つまたは複数の基地局トランシーバ１０６、ローカルトランシーバ１０８などのロケーション、識別情報など、測位支援データを与え得る。たとえば、測位支援サーバ１１８は、ほんの数個の可能な実装形態を示すと、グローバル座標系、ローカル座標系（たとえば、ベニューなど）などに従ってマッピングされ得る、緯度経度、３次元直交座標空間における（Ｘ，Ｙ，Ｚ）座標など、好適な基準フレームを介して、１つまたは複数の基地局トランシーバ１０６、ローカルトランシーバ１０８などのロケーションを与え得る。
【００２８】
[0030]サーバ１２０は、たとえば、少なくとも部分的に、本明細書で説明されるものなど、任意の好適なクラウドソーシング動作を容易にするかまたはサポートするために使用され得る、クラウドソーシングサーバを備え得る。いくつかの事例では、サーバ１２０は、たとえば、当該の特定のエリアまたは領域について、電子デジタルマップならびに他の測位支援データまたは同様の情報を与え得る、マップサーバを備え得る。時々、電子デジタルマップは、たとえば、動作環境１００内の１つまたは複数のエリアまたは特徴（たとえば、建築物、街路など）に対する１つまたは複数の基地局トランシーバ１０６、ローカルトランシーバ１０８などのロケーションを備え得る。したがって、電子デジタルマップは、たとえば、少なくとも部分的に、動作環境１００内の当該のエリアまたは領域内を進む間になど、ワイヤレスネットワーク関係データを収集すること、通信することなどを行うクラウドソーシングユーザに追加のコンテキストを与えるために、使用され得る。
【００２９】
[0031]特定の実装形態では、および本明細書で説明されるように、モバイルデバイス１０２は、好適なデータを測定すること、収集すること、記憶すること、通信することなどを行うこと、１つまたは複数の基地局トランシーバ１０６、ローカルトランシーバ１０８などのロケーションを推定すること、位置フィックスを算出することなどが可能な回路および処理リソースを有し得る。たとえば、モバイルデバイス１０２は、４つまたはそれ以上のＳＰＳ衛星１０４から獲得された擬似レンジ測定値に少なくとも部分的に基づいて位置フィックスを算出し得る。ここで、モバイルデバイス１０２は、たとえば、４つまたはそれ以上のＳＰＳ衛星１０４から獲得された信号１１０中での擬似雑音コード位相検出に少なくとも部分的に基づいてそのような擬似レンジ測定値を算出し得る。特定の実装形態では、モバイルデバイス１０２は、たとえば、ほんの数例を挙げると、アルマナック、エフェメリスデータ、ドップラー探索ウィンドウを含む、ＳＰＳ衛星１０４によって送信された信号の獲得を助けるための測位支援データを、サーバ１１６、１１８、または１２０から受信し得る。
【００３０】
[0032]他の実装形態では、モバイルデバイス１０２は、たとえば、たとえば、アドバンストフォワードトリラテラレーション（ＡＦＬＴ：advanced forward trilateration）、観測到着時間差（ＯＴＤＯＡ）など、いくつかの技法のうちのいずれか１つを使用して、知られている固定ロケーションに位置する１つまたは複数の地上波ワイヤレストランシーバ（たとえば、ローカルトランシーバ１０８、基地局トランシーバ１０６など）から受信された信号を処理することによって、位置フィックスを取得し得る。これらの特定の技法では、モバイルデバイス１０２からそのようなトランシーバのうちの３つまたはそれ以上までのレンジが、トランシーバによって送信され、モバイルデバイス１０２において受信されたパイロット信号に少なくとも部分的に基づいて測定され得る。いくつかの事例では、動作環境１００に関連する特定のエリア中の１つまたは複数の基地局トランシーバ１０６、ローカルトランシーバ１０８などのロケーションまたは識別情報（たとえば、セルＩＤ、アクセスポイントＩＤ、ＭＡＣアドレスなど）は、基地局アルマナック（ＢＳＡ：base station almanac）の形態でサーバ１１６、１１８、または１２０によって与えられ得る。
【００３１】
[0033]少なくとも１つの実装形態では、モバイルデバイス１０２は、獲得された信号の特性を測定するか、あるいはそれを当該のエリアまたは領域中の特定のロケーションにおける予想されるＲＳＳＩ、ＲＴＴ、または同様のシグネチャを示す無線ヒートマップに適用することによって、位置フィックスを取得し得る。特定の実装形態では、無線ヒートマップは、１つまたは複数のローカルトランシーバ１０８の識別情報（たとえば、ローカルトランシーバから獲得された信号から識別可能であるＭＡＣアドレスなど）と、識別されたローカルトランシーバによって送信された信号からの予想されるＲＳＳＩと、識別されたトランシーバからの予想されるＲＴＴと、これらの予想されるＲＳＳＩ、ＲＴＴなどからの平均または標準偏差とを関連付け得る。ただし、これらは、請求される主題がそれらに限定されない例にすぎないことを理解されたい。
【００３２】
[0034]本明細書では一定数のコンピューティングプラットフォームまたはデバイスが説明されるが、任意の数の好適なコンピューティングプラットフォームまたはデバイスが、動作環境１００に関連する１つまたは複数の技法またはプロセスを容易にするかまたはさもなければサポートするために実装され得る。たとえば、時々、ネットワーク１１２は、モバイルデバイス１０２、１つまたは複数の基地局トランシーバ１０６、ローカルトランシーバ１０８、サーバ１１６、１１８、１２０などとの通信のためのカバレージエリアを拡張するために、１つまたは複数のワイヤードまたはワイヤレス通信ネットワーク（たとえば、ＷＬＡＮなど）に結合され得る。いくつかの事例では、ネットワーク１１２は、たとえば、カバレージのフェムトセルまたはピコセルベース動作領域を容易にするかまたはサポートし得る。この場合も、これらは例示的な実装形態にすぎず、請求される主題はこの点について限定されない。
【００３３】
[0035]このことを念頭に置いて、次に図２に注目すると、図２は、ワイヤレスネットワーク関係データの改善された効率のクラウドソーシングのための１つまたは複数の動作または技法を容易にするかまたはサポートするために全体的にまたは部分的に実行され得る、例示的なプロセス２００の一実装形態を示す流れ図である。示されたように、時々、プロセス２００は、たとえば、少なくとも部分的に、図１のモバイルデバイス１０２など、コロケートされたロケーションアウェアモバイルデバイスを採用する１つまたは複数のユーザによって実装され得る。例示的なプロセス２００に関連する、たとえば、入力信号、出力信号、動作、結果など、獲得または生成された情報が、１つまたは複数のデジタル信号を介して表され得ることに留意されたい。また、１つまたは複数の動作がコンカレントにまたはあるシーケンスに関して図示または説明されるが、他のシーケンスまたはコンカレント動作が採用され得ることを諒解されたい。さらに、以下の説明は、いくつかの他の図に示されている特定の態様または特徴を参照するが、１つまたは複数の動作は、他の態様または特徴を用いて実行され得る。
【００３４】
[0036]例示的なプロセス２００は、たとえば、動作２０２において、ワイヤレストランシーバによって送信され、モバイルデバイスにおいて受信された１つ複数の信号に少なくとも部分的に基づいて、ワイヤレストランシーバの観測値を取得することから開始し得る。示されたように、当該のエリアまたは領域内を進む間に、モバイルデバイスは、たとえば、基地局トランシーバ、ローカルトランシーバなど、１つまたは複数の近接したまたは「認識できる（visible）」ワイヤレストランシーバからワイヤレス信号を獲得または受信し得、獲得された信号中で符号化された特定のパラメータまたは属性を検出および／または復号し得る。いくつかの事例では、パラメータまたは属性は、たとえば、現在観測されているワイヤレストランシーバの識別子（たとえば、セルＩＤ、アクセスポイントＩＤなど）、獲得されたワイヤレス信号の、受信信号強度、到着時間、飛行時間、到来角、ラウンドトリップ時間、あるいは同様の特性または態様などを備え得る。時々、好適なサーバによってユーザのモバイルデバイスに与えられること、モバイルデバイス上にローカルに記憶されることなどを行い得るパラメータまたは属性が、たとえば、好適なホストクラウドソーシング適用例を介して収集されること、記憶されること、通信されることなどを行い得る。クラウドソーシング適用例は、たとえば、要求、ユーザ入力などのときに、ユーザが当該のエリアまたは領域に入ると、アクティブにされること、ローンチされる（launched）こと、ダウンロードされることなどを行い得る。クラウドソーシングまたは関係する適用例は、一般に知られており、ここでより詳細に説明される必要はない。
【００３５】
[0037]示されたように、いくつかの事例では、観測値は、たとえば、ほんの１つの可能な実装形態を示すと、ＧＮＳＳまたは同様のＳＰＳを介して取得された位置フィックスなど、十分な正確さの位置フィックスのある時間期間内に（および／またはそれと実質的に同時に）取得され得る。したがって、動作２０４に関して、観測値が、十分な正確さの位置フィックスのある時間期間内に（および／またはそれと実質的に同時に）取得された場合、モバイルデバイスは、たとえば、好適なサーバに１つまたは複数のメッセージを送信し得、１つまたは複数のメッセージは、位置フィックスに少なくとも部分的に基づいて決定されたモバイルデバイスの推定されたロケーションをもつ観測値を備える。これらの１つまたは複数のメッセージは、たとえば、各ワイヤレストランシーバが観測されるときになど、別々に送信されるか、あるいは適切なバッチまたはある後の時間におけるグルーピングにおいてなど、周期的に送信され得ることに留意されたい。サーバは、次いで、ワイヤレスネットワーク関係データベース中でワイヤレストランシーバを何らかの様式で特徴づけるために、モバイルデバイスの観測値を他のモバイルデバイスからの観測値と組み合わせ得る。たとえば、サーバは、１つまたは複数の知られているおよび／または適切な技法を使用して、観測モバイルデバイスの正確に決定されたロケーションに関連する複数の観測値に少なくとも部分的に基づいて、ワイヤレストランシーバのロケーションを推定し得る。サーバは、次いで、たとえば、関連するワイヤレストランシーバ識別子（たとえば、セルＩＤ、アクセスポイントＩＤなど）、ロケーション、送信電力レベルなど、ワイヤレストランシーバの特徴づけをワイヤレスネットワーク関係データベースに記憶し得る。示されたように、十分な正確さの位置フィックスとペアリングされるかまたは相関させられた観測値は、たとえば、より有用であるおよび／またはより大きい価値があると見なされ得、したがって、一般に、それのローカルモバイルデータベースを参照することなしになど、モバイルデバイスによってクラウドソーシングされ得る。
【００３６】
[0038]前に言及されたように、少なくとも１つの実装形態では、ワイヤレストランシーバの観測値は、たとえば、十分な正確さの取得された位置フィックスのある時間期間内に取得され得る。そのような時間期間は、少なくとも部分的に、実験的に決定され得、および／あるいは、たとえば、あらかじめ定義されるか、またはさもなければ特定の環境、モバイルデバイス、ワイヤレスサービスプロバイダ、ワイヤレストランシーバ、適用例などに応じて何らかの様式で動的に定義され得る。限定ではなく例として、１つの特定のシミュレーションまたは実験では、位置フィックスを取得することから３．０秒から５．０秒の間のレンジ中の時間期間が、ワイヤレスネットワーク関係データの改善された効率のクラウドソーシングのための１つまたは複数の動作または技法を容易にするかまたはサポートするために有益と判明し得ると思われた。もちろん、時間期間に関係する詳細は、請求される主題がそれらに限定されない例にすぎないものとして意図される。
【００３７】
[0039]動作２０６において、観測値が、十分な正確さの位置フィックスのある時間期間内に（および／またはそれと実質的に同時に）取得されない場合、モバイルデバイスは、たとえば、モバイルデバイスのメモリに記憶された１つまたは複数のパラメータまたは属性に少なくとも一部に基づいて、サーバへの観測値の送信を制限する。示されたように、少なくとも１つのそのようなパラメータまたは属性は、たとえば、コロケートされたクラウドソーシングモバイルデバイスのユーザの現在ロケーションを囲む１つまたは複数のワイヤレストランシーバのワイヤレストランシーバ識別子（たとえば、セルＩＤ、アクセスポイントＩＤなど）を備え得る。これらの１つまたは複数のパラメータまたは属性は、たとえば、好適なサーバによってネットワーク関係データベースからなど、モバイルデバイスに与えられ得、適用可能なエリアまたは領域内でクラウドソーシングするより前になど、モバイルデバイスのローカルデータベースにダウンロードおよび／または記憶され得る。したがって、クラウドソーシングする間に、モバイルデバイスは、ほんの１つの可能な実装形態を示すと、それのワイヤレストランシーバ識別子を使用してなど、現在観測されているワイヤレストランシーバがデータベース中に存在するかどうかを決定するために、それのローカルモバイルデータベースを参照し得る。現在観測されているワイヤレストランシーバが、モバイルデバイスのローカルデータベース中に存在しない場合、これは、トランシーバが前にクラウドソーシングされなかったことを示し得、モバイルデバイスは、観測値を収集し、好適なサーバにフォワーディングし得る。今度は、サーバは、示されたように、このワイヤレストランシーバについてロケーションを取得するために、サードパーティサービスを活用し得、トランシーバの識別情報、ロケーション、または同様の属性をワイヤレスネットワーク関係データベースに記憶し得る。しかしながら、たとえば、関連するワイヤレストランシーバ識別子の位置を特定することなどによって、現在観測されているワイヤレストランシーバが、モバイルデバイスのローカルデータベース中に存在すると決定された場合、モバイルデバイスは、トランシーバが前にクラウドソーシングされたと推論し得、したがって、関係する観測値は、冗長であるかまたはさもなければあまり有用でないことがある。そのような場合、モバイルデバイスは、たとえば、同じく示されたように、関連するリソースを節約するために、サーバにそのような観測値をフォワーディングすることを控え得る。
【００３８】
[0040]少なくとも１つの実装形態では、バイナリタイプ決定または手法を実行することの代わりに、あるいはそれに加えて、たとえば、現在観測されているワイヤレストランシーバがモバイルデバイスのローカルデータベース中に存在しない場合、観測値をフォワーディングするために、またはトランシーバがローカルデータベース中に存在する場合、観測値をフォワーディングしないためになど、モバイルデバイスは、何らかの指定されたしきい値または基準に少なくとも部分的に基づいて、クラウドソーシングすべきかどうかの決定を行うことが可能であり得る。たとえば、サーバは、サーバにフォワーディングされ得るモバイルローカルデータベース中に存在するワイヤレストランシーバ識別子（たとえば、セルＩＤ、アクセスポイントＩＤなど）に対応するＧＮＳＳ位置フィックスをもたない観測値の割合（たとえば、０から１００％まで）を指定し得る。例示として、そのような割合は、たとえば、特定のモバイルデバイスなどから、特定のワイヤレストランシーバに関してなど、サーバに前に送信またはアップロードされた観測値の数に少なくとも部分的に基づいて決定され得る。たとえば、前に送信またはアップロードされた観測値の数が比較的低い場合、観測値のより大きい割合（たとえば、５０％、７５％など）が、サーバへのフォワーディングのために指定され得る。しかしながら、前に送信またはアップロードされた観測値の数が比較的高い場合、観測値のより小さい割合（たとえば、５％、１０％など）が、たとえば指定され得る。
【００３９】
[0041]随意にまたは代替的に、（たとえば、適切なタイムスタンプなどを介した）最後の送信またはアップロードの時間が、サーバにフォワーディングされ得るモバイルローカルデータベース中に存在するワイヤレストランシーバ識別子（たとえば、セルＩＤ、アクセスポイントＩＤなど）に対応するＧＮＳＳ位置フィックスをもたない観測値の割合を指定するために、少なくとも部分的に使用されるかまたはさもなければ考慮され得る。したがって、たとえば、特定のワイヤレストランシーバに関するなど、前に送信またはアップロードされた観測値が、数時間、数日など経過している場合、同じワイヤレストランシーバに関するなど、別の観測値が、送信またはアップロードされるのを妨げられ得る。しかしながら、前に送信またはアップロードされた観測値が数週、数か月など経過している場合、同じワイヤレストランシーバに関する別の観測値が、たとえば、サーバに送信またはアップロードされることを可能にされ得る。同様に、ここで、サーバへのフォワーディングのために指定された観測値の割合は、たとえば、どのくらいの時間が、関係する観測値間に過ぎたかに対応および／または依存し得る。もちろん、これらは、観測値の割合を指定することの詳細にすぎず、請求される主題はそのように限定される。たとえば、時々、サーバは、ほんの別の可能な実装形態を示すと、特定のワイヤレストランシーバに関してなど、ＧＮＳＳ位置フィックスをもたない観測値を送信するためのモバイルデバイスの割合（たとえば、０から１００％まで）を指定し得る。
【００４０】
[0042]いくつかの事例では、観測値の割合を指定することは、たとえば、ワイヤレストランシーバが、再配置された、非アクティブにされた、番号を振り直された（たとえば、セルＩＤ、アクセスポイントＩＤなど）、使用中止されたなどの場合、ワイヤレス通信ネットワーク内の変化の適時の検出を容易にするかまたはサポートし得る。たとえば、特定のエリアまたは領域のためにモバイルローカルデータベースにダウンロードされた１つまたは複数のトランシーバ関係パラメータまたは属性を介して証明されるなど、そのエリアまたは領域内で観測されることが予想される特定のワイヤレストランシーバに関する時間期間にわたる観測値の欠如が、トランシーバがもはやアクティブまたは使用中でないことを示し得る。したがって、特定のワイヤレストランシーバがもはやワイヤレスネットワーク上にないと推論または決定された場合、ネットワーク関係データベースは、たとえば、ネットワーク関係データベースから、それのワイヤレストランシーバ識別子、ロケーション、あるいは他の好適な属性またはパラメータなど、トランシーバを削除することによってなど、好適な様式で更新され得る。同様に、何らかの指定された基準（たとえば、ＧＮＳＳ位置フィックスをもたない観測値の割合など）に少なくとも部分的に基づいてサーバにフォワーディングされた観測値はまた、少なくとも部分的に、同様の様式で、特定のワイヤレストランシーバが依然としてアクティブまたは使用中であることを確認するために使用され得る。
【００４１】
[0043]時々、指定された割合の代わりに、またはそれに加えて、ＧＮＳＳ位置フィックスをもつまたはもたない観測値をフォワーディングするための基準は、たとえば、ワイヤレスネットワーク関係データベースが空の状態にあるのかいっぱいの状態にあるのか（それらの中間の状態にあるのか）、あるクラウドソーシングされたエリアまたは領域、ワイヤレスキャリア、クラウドソーシングモバイルデバイスの特定のタイプ、種類、またはモデルなどがより好ましいかどうかなど、ネットワークまたはサーバ関係リソースの利用可能性に少なくとも部分的に基づき得る。たとえば、いくつかの事例では、十分な正確さの位置フィックスのある時間期間内に（および／またはそれと実質的に同時に）取得された観測値の送信が、好適なしきい値を介して表されるなど、ワイヤレスネットワーク関係データベースがいっぱいであることの程度に少なくとも部分的に基づいて、（たとえば、モバイルデバイス、適用可能なサーバなどによって）制限され得る。そのようなしきい値は、実験的に決定され得、たとえば、あらかじめ定義または構成されるか、あるいはさもなければ特定の適用例、地理的エリア、クラウドソーシングパラメータ、モバイルデバイスのタイプまたはモデル、モバイルデバイスの概略ロケーションなどに応じて何らかの様式で動的に定義され得る。限定ではなく例として、１つの特定のシミュレーションまたは実験では、９０％のしきい値が使用され、これは、ワイヤレスネットワーク関係データベースがそれの容量の９０％にあると査定された場合、モバイルデバイスが、十分な正確さの位置フィックスのある時間期間内に（および／またはそれと実質的に同時に）取得された観測値を送信しないか、またはある割合までそれの送信を制限し、ならびに／あるいはクラウドソーシングサーバが、観測値を受け付けないか、またはある割合までそれの受付けを制限することを意味する。
【００４２】
[0044]しかしながら、いくつかの事例では、たとえば、データベースがいっぱいに近い状態にある場合など、モバイルデバイスは、依然として、特定の適用例、地理的エリア、クラウドソーシングパラメータ、モバイルデバイスのタイプまたはモデルなどに依存し得る、そのような観測値を送信することが可能であり得、および／またはサーバは、依然として、そのような観測値を受け付けることが可能であり得る。請求される主題は、もちろん、そのように限定されない。たとえば、少なくとも１つの実装形態では、十分な正確さの位置フィックスのある時間期間内に（および／またはそれと実質的に同時に）取得された観測値の送信は、モバイルデバイスの概略エリア中にあり、１つまたは複数のそのような観測値が前にそれから取得されたワイヤレストランシーバのリストに少なくとも部分的に基づいて、（たとえば、モバイルデバイス、適用可能なサーバなどによって）制限され得る。実装形態に応じて、そのようなリストは、たとえば、モバイルデバイスのローカルメモリまたはデータベース、適用可能なサーバ、あるいはそれらの任意の組合せ（たとえば、部分リストなど）に記憶され得る。ここで、モバイルデバイスは、たとえば、そのようなリストにアクセスし、および／またはそれを参照し得、ほんの１つの可能な実装形態を示すと、１つまたは複数の現在観測されているワイヤレストランシーバの１つまたは複数の識別子（たとえば、セルＩＤ、アクセスポイントＩＤなど）を、リストに記憶されたワイヤレストランシーバの１つまたは複数の識別子と照合し得る。したがって、たとえば、一致を見つけることなど、いくつかの事例では、モバイルデバイスは、測定値の冗長および／または重複を回避するためになど、取得された観測値を送信することを控え得る。モバイルデバイスのロケーションの近くの、またはそれに近接した１つまたは複数のワイヤレス送信機を識別するためなどの、様々な他のまたは同様の照合動作（たとえば、ＲＳＳＩ照合など）が、全体的にまたは部分的に本明細書で使用され得ることに留意されたい。
【００４３】
[0045]示されたように、ワイヤレスネットワーク関係データの改善された効率のクラウドソーシングのための１つまたは複数の動作または技法のいくつかの態様または特徴が、セルラー通信ネットワーク、ワイヤレストランシーバなどに関して本明細書で説明されるが、１つまたは複数の動作または技法が、少なくとも部分的に、任意の好適なワイヤレス通信ネットワークおよび／またはデバイスに関して実装され得ることに留意されたい。たとえば、いくつかの事例では、１つまたは複数のアクセスポイント、フェムトセル、ピコセルなどを利用する、ワイヤレスローカルエリアネットワーク（ＷＬＡＮ、たとえば、ＩＥＥＥ規格８０２．１１ネットワークなど）、ワイヤレスパーソナルエリアネットワーク（ＷＰＡＮ、たとえば、Ｂｌｕｅｔｏｏｔｈネットワークなど）などが、少なくとも部分的に採用されるか、またはさもなければ考慮され得る。時々、これらのまたは他の同様のワイヤレスネットワークおよび／あるいはデバイスの任意の好適な組合せも、全体的にまたは部分的に使用され得る。
【００４４】
[0046]図３は、少なくとも部分的に、ワイヤレスネットワーク関係データの改善された効率のクラウドソーシングのための１つまたは複数の動作または技法を容易にするかまたはサポートするために使用され得る、モバイルデバイスに関連する例示的なコンピューティング環境の一実装形態の概略図である。例示的なコンピューティング環境は、たとえば、図１のモバイルデバイス１０２の１つまたは複数の特徴または態様を含み得るモバイルデバイス３００を備え得るが、請求される主題はそのように限定されない。たとえば、いくつかの事例では、モバイルデバイス３００は、好適なワイヤレス通信ネットワーク上でアンテナ３０６などを介して、３０４において概して参照される、ワイヤレス信号を送信または受信することが可能なワイヤレストランシーバ３０２を備え得る。ワイヤレストランシーバ３０２は、たとえば、１つの可能な例として、図２を参照しながら説明された１つまたは複数の通信など、１つまたは複数の好適な通信を送ることまたは受信することが可能であり得る。
【００４５】
[0047]限定ではなく例として、いくつかの事例では、ワイヤレストランシーバ３０２は、たとえば、少なくとも部分的に、図２の動作２０２を実装するためになど、ワイヤレストランシーバによって送信され、モバイルデバイス３００において受信された１つ複数の信号に少なくとも部分的に基づいて、ワイヤレストランシーバの観測値を取得するための手段を備えるか、またはそれを表し得る。さらに、少なくとも１つの実装形態では、ワイヤレストランシーバ３０２は、たとえば、観測値が、十分な正確さの位置フィックスのある時間期間内に（および／またはそれと実質的に同時に）取得された場合など、サーバに１つまたは複数のメッセージを送信するための手段を表すか、またはそれを備え得、１つまたは複数のメッセージは、少なくとも部分的に、図２の動作２０４を実装するためになど、位置フィックスに少なくとも部分的に基づいて決定されたモバイルデバイス３００の推定されたロケーションをもつ観測値を備える。また、いくつかの事例では、ワイヤレストランシーバ３０２は、少なくとも部分的に、図２の動作２０６を実装するためになど、たとえば、観測値が、十分な正確さの位置フィックスのある時間期間内に（および／またはそれと実質的に同時に）取得されない場合など、モバイルデバイス３００のメモリに記憶された１つまたは複数のパラメータに少なくとも一部に基づいて、サーバへの観測値の送信を制限するための手段を表すか、またはそれを備え得る。
【００４６】
[0048]ワイヤレストランシーバ３０２は、たとえば、ワイヤレストランシーババスインターフェース３１０を介してバス３０８に結合または接続され得る。実装形態に応じて、時々、ワイヤレストランシーババスインターフェース３１０は、たとえば、ワイヤレストランシーバ３０２と少なくとも部分的に統合され得る。いくつかの実装形態は、ほんの数例を挙げると、ワイヤレスフィデリティ（ＷｉＦｉ（登録商標））、符号分割多元接続（ＣＤＭＡ）、広帯域ＣＤＭＡ（Ｗ−ＣＤＭＡ（登録商標））、ロングタームエボリューション（ＬＴＥ（登録商標））、Ｂｌｕｅｔｏｏｔｈなど、対応する複数のワイヤレス通信規格に従って信号を送信または受信することを可能にするために、複数のワイヤレストランシーバ３０２またはアンテナ３０６を含み得る。
【００４７】
[0049]一実装形態では、モバイルデバイス３００は、たとえば、ＳＰＳまたは同様のアンテナ３１６などを介して、１つまたは複数のＳＰＳまたは他の好適なワイヤレス信号３１４を受信または獲得することが可能なＳＰＳまたは同様の受信機３１２を備え得る。ＳＰＳ受信機３１２は、モバイルデバイス３００のロケーションを推定するために、１つまたは複数の獲得されたＳＰＳ信号３１４を全体的にまたは部分的に処理し得る。いくつかの事例では、（以下「プロセッサ」と呼ばれる）１つまたは複数の汎用アプリケーションプロセッサ３１８、メモリ３２０、（１つまたは複数の）デジタル信号プロセッサ（ＤＳＰ）３２２、あるいは図示されていない同様の専用デバイスまたはプロセッサが、獲得されたＳＰＳ信号３１４を全体的にまたは部分的に処理すること、ＳＰＳ受信機３１２とともになど、モバイルデバイス３００のロケーションを計算することなどを行うために利用され得る。たとえば、ワイヤレスネットワーク関係データの改善された効率のクラウドソーシングのための１つまたは複数の技法に関連してなど、１つまたは複数の測位動作を実装するためのＳＰＳまたは他の信号の記憶が、少なくとも部分的に、メモリ３２０、好適なレジスタまたはバッファ（図示せず）において実行され得る。
【００４８】
[0050]図示されていないが、少なくとも１つの実装形態では、１つまたは複数のプロセッサ３１８、メモリ３２０、ＤＳＰ３２２、あるいは同様の専用デバイスまたはプロセッサは、ワイヤレストランシーバによって送信され、モバイルデバイス３００において受信された１つ複数の信号に少なくとも部分的に基づいて、ワイヤレストランシーバの観測値を取得することと、観測値が、十分な正確さの位置フィックスのある時間期間内に（および／またはそれと実質的に同時に）取得された場合、サーバに１つまたは複数のメッセージを送信することと、１つまたは複数のメッセージが、位置フィックスに少なくとも部分的に基づいて決定されたモバイルデバイス３００の推定されたロケーションをもつ観測値を備える、観測値が、十分な正確さの位置フィックスのある時間期間内に（および／またはそれと実質的に同時に）取得されない場合、モバイルデバイス３００のメモリに記憶された１つまたは複数のパラメータに少なくとも一部に基づいて、サーバへの観測値の送信を制限することとを行うことが可能な１つまたは複数の処理モジュールを備え得ることを諒解されたい。
【００４９】
[0051]１つまたは複数の処理モジュールのうちの全部または一部は、ハードウェア、ファームウェア、ソフトウェア、またはそれらの任意の組合せを使用して、あるいはさもなければ含めて実装され得ることに留意されたい。処理モジュールは、情報算出技法またはプロセスの少なくとも一部分を実行することが可能な１つまたは複数の回路を表し得る。限定ではなく例として、プロセッサ３１８またはＤＳＰ３２２は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。したがって、時々、プロセッサ３１８またはＤＳＰ３２２またはそれらの任意の組合せは、たとえば、図２の動作２０６に示されているか、またはそれに関して説明されたように、観測値が、十分な正確さの位置フィックスのある時間期間内に（および／またはそれと実質的に同時に）取得されない場合など、モバイルデバイス３００のメモリに記憶された１つまたは複数のパラメータに少なくとも一部に基づいて、サーバへの観測値の送信を制限するための手段を備えるか、またはそれを表し得る。
【００５０】
[0052]図示のように、ＤＳＰ３２２は、バス３０８を介してプロセッサ３１８とメモリ３２０とに結合または接続され得る。図示されていないが、いくつかの事例では、バス３０８は、ＤＳＰ３２２、プロセッサ３１８、メモリ３２０など、モバイルデバイス３００の１つまたは複数の適用可能な構成要素と統合され得る１つまたは複数のバスインターフェースを備え得る。様々な実施形態では、ほんの数例を挙げると、ＲＡＭ、ＲＯＭ、フラッシュ、ディスクドライブなど、コンピュータ可読記憶媒体になど、メモリ３２０に記憶された１つまたは複数の機械可読命令の実行に応答して、本明細書で説明される１つまたは複数の動作または機能が実行され得る。命令は、たとえば、プロセッサ３１８、図示されていない１つまたは複数の専用プロセッサ、ＤＳＰ３２２などを介して実行可能であり得る。メモリ３２０は、本明細書で説明される動作または機能を実行するためにプロセッサ３１８、ＤＳＰ３２２などによって実行可能であり得るソフトウェアコード（たとえば、プログラミングコード、命令など）を記憶し得る、非一時的プロセッサ可読メモリ、コンピュータ可読メモリなどを備え得る。
【００５１】
[0053]モバイルデバイス３００は、たとえば、ほんの数例を挙げると、スピーカー、マイクロフォン、ディスプレイデバイス、振動デバイス、キーボード、タッチスクリーンなど、いくつかのデバイスのうちのいずれか１つを含み得る、ユーザインターフェース３２４を備え得る。少なくとも１つの実装形態では、ユーザインターフェース３２４は、ユーザがモバイルデバイス３００上にホストされた１つまたは複数のアプリケーションと対話することを可能にし得る。たとえば、ユーザインターフェース３２４の１つまたは複数のデバイスは、ユーザからの入力またはアクションに応答して、ＤＳＰ３２２、プロセッサ３１８などによってさらに処理されるべきアナログ信号またはデジタル信号をメモリ３２０に記憶し得る。同様に、モバイルデバイス３００上にホストされた１つまたは複数のアプリケーションは、出力信号をユーザに提示するためにアナログ信号またはデジタル信号をメモリ３２０に記憶し得る。いくつかの実装形態では、モバイルデバイス３００は、たとえば、専用スピーカー、マイクロフォン、デジタルアナログ回路、アナログデジタル回路、増幅器、利得制御などを備える専用オーディオ入出力（Ｉ／Ｏ）デバイス３２６を随意に含み得る。ただし、これは、オーディオＩ／Ｏデバイス３２６がどのように実装され得るかの一例にすぎず、請求される主題はこの点について限定されないことを理解されたい。わかるように、モバイルデバイス３００は、キーボード、タッチスクリーンなどに加えられた接触または同様の圧力に応答する１つまたは複数のタッチセンサー３２８を備え得る。
【００５２】
[0054]モバイルデバイス３００は、たとえば、１つまたは複数の慣性センサー、周囲環境センサーなど、バス３０８に結合または接続された１つまたは複数のセンサー３３４を備え得る。センサー３３４の慣性センサーは、たとえば、ほんの数例を示すと、（たとえば、１次元、２次元、または３次元などにおけるモバイルデバイス３００の加速度にまとめて応答する）１つまたは複数の加速度計、（たとえば、１つまたは複数のコンパスまたは同様の適用例などをサポートするための）ジャイロスコープまたは磁力計などを備え得る。モバイルデバイス３００の周囲環境センサーは、たとえば、ほんの数例を挙げると、１つまたは複数の気圧センサー、温度センサー、周囲光検出器、カメラセンサー、マイクロフォンなどを備え得る。センサー３３４は、メモリ３２０に記憶され得、測位またはナビゲーション動作、ワイヤレス通信、無線ヒートマップ学習、ビデオゲーミングなどを対象とする１つまたは複数の適用例をサポートするなど、ＤＳＰ３２２、プロセッサ３１８などによって処理され得る、アナログ信号またはデジタル信号を生成し得る。
【００５３】
[0055]特定の実装形態では、モバイルデバイス３００は、専用の、またはさもなければ、ワイヤレストランシーバ３０２、ＳＰＳ受信機３１２などを介して受信またはダウンコンバートされた信号のベースバンド処理を実行することが可能なモデムプロセッサ３３６を備え得る。同様に、モデムプロセッサ３３６は、たとえば、ワイヤレストランシーバ３０２を介した送信のためにアップコンバートされるべき信号のベースバンド処理を実行し得る。代替実装形態では、専用モデムプロセッサを有する代わりに、ベースバンド処理は、プロセッサ３１８、ＤＳＰ３２２などによって少なくとも部分的に実行され得る。さらに、いくつかの事例では、インターフェース３３８は、別個の構成要素として示されているが、たとえば、バス３０８またはＳＰＳ受信機３１２など、モバイルデバイス３００の１つまたは複数の適用可能な構成要素と全体的にまたは部分的に統合され得る。随意にまたは代替的に、ＳＰＳ受信機３１２は、バス３０８に直接結合または接続され得る。ただし、これらはベースバンド処理を実行し得る構成要素または構造の例にすぎず、請求される主題はこの点について限定されないことを理解されたい。
【００５４】
[0056]図４は、たとえば、図１〜図３に関して上記で説明されたものなど、ワイヤレスネットワーク関係データの改善された効率のクラウドソーシングのための１つまたは複数の動作または技法を部分的にまたは実質的に実装またはサポートすることが可能な１つまたは複数のサーバまたは他のデバイスに関連するかまたはそれらを含み得る、例示的なコンピューティング環境またはシステム４００の一実装形態を示す概略図である。コンピューティング環境４００は、たとえば、通信ネットワーク４０８を介して互いに動作可能に結合され得る、第１のデバイス４０２、第２のデバイス４０４、第３のデバイス４０６などを含み得る。いくつかの事例では、第１のデバイス４０２は、たとえば、ワイヤレストランシーバの識別情報、ロケーションなど、無線ヒートマップ、基地局アルマナックなどを備えるなど、測位支援メッセージを与えることが可能なサーバを備え得る。たとえば、第１のデバイス４０２は、要求などのときに、モバイルデバイスのロケーションの粗いまたは概算の推定に少なくとも部分的に基づいて、モバイルデバイスに電子デジタルマップを与えることが可能なサーバをも備え得る。第１のデバイス４０２は、他の好適なワイヤレスネットワーク関係データを与えることが可能なサーバをも備え得る。第２のデバイス４０４または第３のデバイス４０６は、たとえば、モバイルデバイスを備え得るが、請求される主題はそのように限定されない。たとえば、いくつかの事例では、第２のデバイス４０４は、ほんの別の可能な実装形態を示すと、第１のデバイス４０２と機能的にまたは構造的に同様のサーバを備え得る。さらに、通信ネットワーク４０８は、たとえば、アクセスポイント、フェムトセル、ピコセルなど、１つまたは複数のワイヤレストランシーバを備え得る。もちろん、請求される主題はこれらの点で範囲が限定されない。
【００５５】
[0057]第１のデバイス４０２、第２のデバイス４０４、または第３のデバイス４０６は、通信ネットワーク４０８上で情報を交換することが可能であり得る任意のデバイス、アプライアンス、プラットフォーム、または機械を表し得る。限定ではなく例として、第１のデバイス４０２、第２のデバイス４０４、または第３のデバイス４０６のいずれも、たとえば、デスクトップコンピュータ、ラップトップコンピュータ、ワークステーション、サーバデバイスなど、１つまたは複数のコンピューティングデバイスまたはプラットフォーム、たとえば、携帯情報端末、モバイル通信デバイスなど、１つまたは複数のパーソナルコンピューティングまたは通信デバイスまたはアプライアンス、たとえば、データベースまたは情報記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムなど、コンピューティングシステムまたは関連するサービスプロバイダ機能、あるいはそれらの任意の組合せを含み得る。第１のデバイス４０２、第２のデバイス４０４、および第３のデバイス４０６のいずれも、それぞれ、本明細書で説明される例示的な実装形態による、モバイルデバイス、ワイヤレス送信機および／または受信機（たとえば、トランシーバ）、サーバなどのうちの１つまたは複数を備え得る。
【００５６】
[0058]一実装形態では、通信ネットワーク４０８は、第１のデバイス４０２、第２のデバイス４０４、または第３のデバイス４０６のうちの少なくとも２つの間の情報の交換をサポートすることが可能な１つまたは複数の通信リンク、プロセス、またはリソースを表し得る。限定ではなく例として、通信ネットワーク４０８は、ワイヤレスまたはワイヤード通信リンク、電話または電気通信システム、情報バスまたはチャネル、光ファイバー、地上または宇宙ビークルリソース、ローカルエリアネットワーク、ワイドエリアネットワーク、イントラネット、インターネット、ルータまたはスイッチなど、あるいはそれらの任意の組合せを含み得る。たとえば、第３のデバイス４０６によって部分的に不明瞭にされた破線ボックスによって示されているように、通信ネットワーク４０８に動作可能に結合された追加の同様のデバイスがあり得る。コンピューティング環境４００に示されている様々なデバイスまたはネットワーク、あるいは本明細書で説明されるプロセスまたは方法の全部または一部は、ハードウェア、ファームウェア、ソフトウェア、またはそれらの任意の組合せを使用して、あるいはさもなければ含めて実装され得ることも認識されたい。
【００５７】
[0059]限定ではなく例として、第２のデバイス４０４は、バス４１４を介してメモリ４１２に動作可能に結合され得る少なくとも１つの処理ユニット４１０を含み得る。処理ユニット４１０は、好適なコンピューティング手順またはプロセスの少なくとも一部分を実行することが可能な１つまたは複数の回路を表し得る。たとえば、処理ユニット４１０は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００５８】
[0060]メモリ４１２は任意の情報記憶機構またはアプライアンスを表し得る。メモリ４１２は、たとえば、１次メモリ４１６と２次メモリ４１８とを含み得る。１次メモリ４１６は、たとえば、ランダムアクセスメモリ、読取り専用メモリなどを含み得る。この例では処理ユニット４１０とは別個であるものとして示されているが、１次メモリ４１６の全部または一部は、処理ユニット４１０内に設けられるか、またはさもなければ処理ユニット４１０とコロケート／結合され得ることを理解されたい。２次メモ４１８は、たとえば、１次メモリと同じまたは同様のタイプのメモリ、あるいは、たとえば、ディスクドライブ、光ディスクドライブ、テープドライブ、ソリッドステートメモリドライブなど、１つまたは複数の情報ストレージデバイスまたはシステムを含み得る。いくつかの実装形態では、２次メモリ４１８は、コンピュータ可読媒体４２０を動作可能に受容可能であるか、またはさもなければそれに結合するように構成可能であり得る。コンピュータ可読媒体４２０は、たとえば、コンピューティング環境４００におけるデバイスのうちの１つまたは複数のために情報、コード、または命令を搬送するか、またはアクセス可能にし得る任意の非一時的記憶媒体を含み得る。コンピュータ可読媒体４２０は記憶媒体と呼ばれることもある。
【００５９】
[0061]第２のデバイス４０４は、たとえば、少なくとも通信ネットワーク４０８への第２のデバイス４０４の動作可能な結合を与えるか、またはさもなければそれをサポートし得る通信インターフェース４２２を含み得る。限定ではなく例として、通信インターフェース４２２は、ネットワークインターフェースデバイスまたはカード、モデム、ルータ、スイッチ、トランシーバなどを含み得る。第２のデバイス４０４は、たとえば、入出力デバイス４２４をも含み得る。入出力デバイス４２４は、人間または機械の入力を受け付けるか、またはさもなければそれを導入するように構成可能であり得る１つまたは複数のデバイスまたは特徴、あるいは人間または機械の出力を配信するか、またはさもなければそれを与えることが可能であり得る１つまたは複数のデバイスまたは特徴を表し得る。限定ではなく例として、入出力デバイス４２４は、動作可能に構成されたディスプレイ、スピーカー、キーボード、マウス、トラックボール、タッチスクリーン、情報ポートなどを含み得る。
【００６０】
[0062]本明細書で説明された方法は、特定の例に従って適用例に応じて様々な手段によって実装され得る。たとえば、そのような方法は、ハードウェア、ファームウェア、ソフトウェア、またはそれらの組合せで実装され得る。ハードウェア実装形態では、たとえば、処理ユニットは、１つまたは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明された機能を実行するように設計された他のデバイスユニット、またはそれらの組合せ内に実装され得る。
【００６１】
[0063]アルゴリズム記述および／または記号表現は、信号処理および／または関連技術の当業者によって、自身の仕事の本質を他の当業者に伝達するために使用される技法の例である。アルゴリズムは、本明細書では、および一般には、所望の結果をもたらす自己無撞着な一連の演算および／または同様の信号処理であると考えられる。このコンテキストでは、演算および／または処理は物理量の物理的操作を伴う。一般に、必ずしもそうとは限らないが、そのような量は、信号測定値、テキスト、画像、ビデオ、オーディオなど、様々な形態のコンテンツを表す電子信号および／または状態として記憶、転送、合成、比較、処理、またはさもなければ操作されることが可能な電気および／または磁気信号および／または状態の形態をとり得る。主に一般的な用法という理由で、そのような物理的信号および／または物理的状態を、ビット、値、要素、記号、文字、項、数、数字、測定値、メッセージ、パラメータ、フレーム、パケット、コンテンツなどと呼ぶことが時々便利であることがわかっている。ただし、これらおよび／または同様の用語のすべては、適切な物理量または物理的発現に関連すべきであり、便利なラベルにすぎないことを理解されたい。別段に明記されていない限り、上記の説明から明らかなように、本明細書全体にわたって、「処理すること」、「算出すること」、「計算すること」、「決定すること」、「確立すること」、「取得すること」、「識別すること」、「選択すること」、「生成すること」などの用語を利用する説明は、専用コンピュータならびに／あるいは同様の専用コンピューティングおよび／またはネットワークデバイスなど、特定の装置のアクションおよび／またはプロセスを指すことがあることを諒解されたい。したがって、本明細書のコンテキストでは、専用コンピュータならびに／あるいは同様の専用コンピューティングおよび／またはネットワークデバイスは、専用コンピュータならびに／あるいは同様の専用コンピューティングおよび／またはネットワークデバイスのメモリ、レジスタ、および／または他のストレージデバイス、送信デバイス、および／またはディスプレイデバイス内の、電子的および／または磁気的な物理量として一般に表される信号および／または状態を処理、操作および／または変換することが可能である。この特定の特許出願のコンテキストでは、上述のように、「特定の装置」という用語は、プログラムソフトウェアからの命令に従って特定の機能を実行するようにプログラムされた後の汎用コンピュータなど、汎用コンピューティングおよび／またはネットワークデバイスを含み得る。
【００６２】
[0064]いくつかの状況では、バイナリ１からバイナリ０への、またはその逆の状態の変化など、メモリデバイスの動作は、たとえば、物理的変換などの変換を備え得る。同様に、ビット、値、要素、記号、文字、項、数、数字、測定値、メッセージ、パラメータ、フレーム、パケット、コンテンツなどを記憶するためのメモリデバイスの動作は、物理的変換を備え得る。特定のタイプのメモリデバイスでは、そのような物理的変換は、異なる状態または物への物品の物理的変換を備え得る。たとえば、限定はしないが、いくつかのタイプのメモリデバイスの場合、状態の変化は、電荷の累積および／または蓄積、あるいは蓄積された電荷の解放を伴い得る。同様に、他のメモリデバイスでは、状態の変化は、磁気方位の変換、および／あるいは、結晶状からアモルファスへの、またはその逆などの、分子構造の物理的変化および／または変換など、物理的変化を備え得る。さらに他のメモリデバイスでは、物理的状態の変化は、たとえば、量子ビット（キュビット）を伴い得る、重ね合わせ、絡み合いなど、量子力学的現象を伴い得る。上記は、メモリデバイスにおけるバイナリ１を形成するバイナリ０への、またはその逆の状態の変化が物理的変換などの変換を備え得る、すべての例の網羅的なリストであることを意図されない。むしろ、上記は例示的な例として意図される。
【００６３】
[0065]本明細書で説明されたワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。「ネットワーク」および「システム」という用語は、本明細書では互換的に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ｃｄｍａ２０００、広帯域ＣＤＭＡ（「Ｗ−ＣＤＭＡ」）などの１つまたは複数の無線アクセス技術（「ＲＡＴ」）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（「ＧＳＭ（登録商標）：Global System for Mobile Communications」）、デジタルアドバンストモバイルフォンシステム（「Ｄ−ＡＭＰＳ：Digital Advanced Mobile Phone System」）、または何らかの他のＲＡＴを実装し得る。ＧＳＭおよびＷ−ＣＤＭＡは、「第３世代パートナーシッププロジェクト」（「３ＧＰＰ（登録商標）」：3rd Generation Partnership Project）と称する団体からの文書に記載されている。ｃｄｍａ２０００は、「第３世代パートナーシッププロジェクト２」（「３ＧＰＰ２」：3rd Generation Partnership Project 2）と称する団体からの文書に記載されている。３ＧＰＰおよび３ＧＰＰ２の文書は公開されている。４Ｇロングタームエボリューション（「ＬＴＥ」）通信ネットワークも、一態様において、請求される主題に従って実装され得る。ＷＬＡＮはＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明されたワイヤレス通信実装形態はまた、ＷＷＡＮ、ＷＬＡＮまたはＷＰＡＮの任意の組合せとともに使用され得る。
【００６４】
[0066]別の態様では、前述のように、ワイヤレストランシーバ（たとえば、アクセスポイントなど）は、セルラー電話サービスを会社または家庭に延長するために利用される、フェムトセルまたはピコセルを備え得る。そのような実装形態では、１つまたは複数のモバイルデバイスは、たとえば、符号分割多元接続（ＣＤＭＡ）セルラー通信プロトコルを介してフェムトセルまたはピコセルと通信し得、フェムトセルまたはピコセルは、インターネットなどの別のブロードバンドネットワークを介してより大きいセルラー電気通信ネットワークへのアクセスをモバイルデバイスに与え得る。
【００６５】
[0067]本明細書で説明された技法は、いくつかのＧＮＳＳおよび／またはＧＮＳＳの組合せのうちのいずれか１つを含むＳＰＳとともに使用され得る。さらに、そのような技法は、「スードライト（pseudolite）」として働く地上波トランシーバ、またはＳＶとそのような地上波トランシーバとの組合せを利用する測位システムとともに使用され得る。地上波トランシーバは、たとえば、ＰＮコードまたは（たとえば、ＧＰＳまたはＣＤＭＡセルラー信号と同様の）他のレンジングコードをブロードキャストする地上トランシーバを含み得る。そのようなトランシーバは、リモート受信機による識別を可能にするように一意のＰＮコードを割り当てられ得る。地上波トランシーバは、たとえば、トンネルの中、鉱山内、建築物の中、ビルの谷間または他の閉じられたエリア内などの、周回するＳＶからのＳＰＳ信号が利用できないことがある状況においてＳＰＳを補強するのに有用であり得る。スードライトの別の実装形態は無線ビーコンとして知られている。本明細書で使用される「ＳＶ」という用語は、スードライト、スードライトの等価物、および場合によっては他のものとして働く地上波トランシーバを含むものとする。本明細書で使用される「ＳＰＳ信号」および／または「ＳＶ信号」という用語は、スードライトまたはスードライトの等価物として働く地上波トランシーバを含む、地上波トランシーバからのＳＰＳ様の信号を含むものとする。
【００６６】
[0068]同様に、このコンテキストでは、「結合された（coupled）」、「接続された（connected）」という用語、および／または同様の用語が、一般的に使用される。これらの用語は類義語として意図されないことを理解されたい。むしろ、「接続された」は、一般的に、２つまたはそれ以上の構成要素が、たとえば、電気的に接触していることを含む、直接物理的に接触していることを示すために使用され、「結合された」は、一般的に、２つまたはそれ以上の構成要素が潜在的に、電気的に接触していることを含む、直接物理的に接触していることを意味するために使用されるが、「結合された」はまた、一般的に、２つまたはそれ以上の構成要素が必ずしも直接接触しているとは限らないが、とはいえ、協働および／または対話することが可能であることを意味するためにも使用される。結合されたという用語はまた、一般的に、たとえば、適切なコンテキストでは、間接的に接続されていることを意味すると理解される。
【００６７】
[0069]本明細書で使用される「および」、「または」、「および／または」という用語、および／または同様の用語は、そのような用語が使用される特定のコンテキストに少なくとも部分的に依存することも予想される様々な意味を含む。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。さらに、「１つまたは複数の」という用語および／または同様の用語は、単数形の任意の特徴、構造、および／または特性について説明するために使用され、ならびに／あるいは複数の特徴、構造および／または特性、ならびに／あるいは特徴、構造および／または特性の何らかの他の組合せについて説明するためにも使用される。同様に、「に基づいて」という用語および／または同様の用語は、ファクタの排他的セットを表すことを必ずしも意図するものとは限らず、必ずしも明確に説明されるとは限らない追加のファクタの存在を考慮に入れることを意図するものとして理解される。もちろん、上記のすべてについて、説明および／または使用の特定のコンテキストは、引き出されるべき推論に関する有用なガイダンスを与える。以下の説明は１つまたは複数の例示的な例を与えるにすぎず、請求される主題はこれらの１つまたは複数の例に限定されないが、この場合も、説明および／または使用の特定のコンテキストは、引き出されるべき推論に関する有用なガイダンスを与えることに留意されたい。
【００６８】
[0070]このコンテキストでは、ネットワークデバイスという用語は、ネットワークを介しておよび／またはネットワークの一部として通信することが可能な任意のデバイスを指し、コンピューティングデバイスを備え得る。ネットワークデバイスは、ワイヤードおよび／またはワイヤレスネットワークを介してなど、信号（たとえば、信号パケットおよび／またはフレーム）を送信および／または受信することが可能であり得るが、ネットワークデバイスはまた、物理的メモリ状態としてメモリ中でなど、算術および／または論理演算を実行すること、信号を処理および／または記憶することが可能であり得、ならびに／あるいは、たとえば、様々な実施形態では、サーバとして動作し得る。サーバなどとして動作することが可能なネットワークデバイスは、例として、専用ラックマウント式サーバ、デスクトップコンピュータ、ラップトップコンピュータ、セットトップボックス、タブレット、ネットブック、スマートフォン、ウェアラブルデバイス、上記のデバイスの２つまたはそれ以上の特徴を組み合わせた集積デバイスなど、またはそれらの任意の組合せを含み得る。信号パケットおよび／またはフレームは、たとえば、ワイヤレスネットワークを介して結合されたワイヤレスデバイス間を含む、たとえば、サーバとクライアントデバイスとの間、および／または他のタイプのネットワークデバイス間などで交換され得る。サーバ、サーバデバイス、サーバコンピューティングデバイス、サーバコンピューティングプラットフォームという用語および／または同様の用語は互換的に使用されることに留意されたい。同様に、クライアント、クライアントデバイス、クライアントコンピューティングデバイス、クライアントコンピューティングプラットフォームという用語および／または同様の用語も互換的に使用される。いくつかの事例では、説明しやすいように、これらの用語は、「クライアントデバイス」または「サーバデバイス」に言及することによってなど、単数形で使用され得るが、説明は、適宜に、１つまたは複数のクライアントデバイスおよび／または１つまたは複数のサーバデバイスを包含するものとする。同様の方針に沿って、「データベース」への言及は、適宜に、１つまたは複数のデータベースおよび／またはそれの部分を意味すると理解される。
【００６９】
[0071]説明しやすいように、（ネットワーキングデバイスとも呼ばれる）ネットワークデバイスは、コンピューティングデバイスに関して実施および／または説明され得ることを理解されたい。しかしながら、この説明は、請求される主題が、コンピューティングデバイスおよび／またはネットワークデバイスなど、一実施形態に限定されると決して解釈されるべきではなく、代わりに、たとえば、１つまたは複数の例示的な例を含む、様々なデバイスまたはそれらの組合せとして実施され得ると解釈されるべきであることをさらに理解されたい。
【００７０】
[0072]本明細書全体にわたる一実装形態、実装形態、一実施形態、実施形態などへの言及は、特定の実装形態および／または実施形態に関して説明された特定の特徴、構造、および／または特性が、請求される主題の少なくとも１つの実装形態および／または実施形態に含まれることを意味する。したがって、たとえば、本明細書全体にわたる様々な箇所でのそのような句の出現は、必ずしも同じ実装形態または説明された特定の一実装形態を指すことを意図されるとは限らない。さらに、説明された特定の特徴、構造、および／または特性は、たとえば、１つまたは複数の実装形態では、様々な方法で組み合わせられることが可能であり、したがって、意図された特許請求の範囲内にあることを理解されたい。概して、もちろん、これらおよび他の問題はコンテキストによって異なる。したがって、説明および／または使用の特定のコンテキストは、引き出されるべき推論に関する有用なガイダンスを与える。
【００７１】
[0073]現在例示的な特徴と考えられることが例示され説明されたが、請求される主題から逸脱することなく、様々な他の変更が行われ得、均等物が代用され得ることが、当業者には理解されよう。さらに、本明細書で説明された中心概念から逸脱することなく、請求される主題の教示に特定の状況を適合させるための多くの変更が行われ得る。したがって、請求される主題は、開示された特定の例に限定されず、そのような請求される主題はまた、添付の特許請求の範囲内に入るすべての態様とそれらの均等物とを含み得るものとする。
【図１】
2018534551.tif 000003
【図２】
2018534551.tif 000004
【図３】
2018534551.tif 000005
【図４】
2018534551.tif 000006
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
モバイルデバイスにおける方法であって、
ワイヤレストランシーバによって送信され、前記モバイルデバイスにおいて受信された１つまたは複数の信号に少なくとも部分的に基づいて、前記ワイヤレストランシーバの観測値を取得することと、
前記観測値が冗長観測値を備えるかどうかを決定するために前記モバイルデバイスのローカルデータベースにアクセスすることと、
前記冗長観測値が、前にクラウドソーシングされたワイヤレストランシーバを示すかどうかを、前記モバイルデバイスにおいて決定することと、
前記観測値が、十分な正確さの位置フィックスの時間期間内に取得された場合、サーバに１つまたは複数のメッセージを送信することと、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されず、および、前記冗長観測値を備える場合、前記モバイルデバイスのメモリに記憶された１つまたは複数のパラメータに少なくとも一部に基づいて、前記サーバへの前記冗長観測値の送信を制限することと
を備える、方法。
【請求項２】
前記モバイルデバイスの前記メモリに記憶された前記１つまたは複数のパラメータは、前記基地局トランシーバの観測値が前記サーバにおいて受信されたかどうかを示す、請求項１に記載の方法。
【請求項３】
前記１つまたは複数のパラメータが、前記モバイルデバイスの前記ローカルデータベース中での前記ワイヤレストランシーバの存在または不在の指示を備える、請求項１に記載の方法。
【請求項４】
前記冗長観測値の前記送信を前記制限することは、
前記ワイヤレストランシーバのためのワイヤレストランシーバ識別子が、前記モバイルデバイスの前記ローカルデータベース中に存在するかどうかを決定することと、
前記モバイルデバイスの前記ローカルデータベース中での前記ワイヤレストランシーバ識別子の不在に少なくとも部分的に基づいて、前記サーバに前記１つまたは複数のメッセージを送信することと
をさらに備える、請求項１に記載の方法。
【請求項５】
前記１つまたは複数のパラメータが、前記サーバから前記モバイルデバイスの前記メモリにダウンロードされる、請求項４に記載の方法。
【請求項６】
前記観測値のための指定された基準を取得することと、
前記指定された基準に少なくとも部分的に基づいて、ワイヤレス通信ネットワーク上での前記ワイヤレストランシーバの存在または不在を決定することと
をさらに備える、請求項１に記載の方法。
【請求項７】
前記指定された基準が、十分な正確さの前記位置フィックスの前記時間期間内に取得されない観測値の割合、十分な正確さの前記位置フィックスの前記時間期間内に取得された観測値の割合、ネットワーク関係リソースまたはサーバ関係リソースの利用可能性、地理的エリアまたは領域、前記モバイルデバイスのモデル、前記モバイルデバイスのタイプ、前記サーバへの前記１つまたは複数のメッセージの最後の送信またはアップロードのタイムスタンプ、ワイヤレスネットワーク関係データベースがいっぱいであることの程度、あるいはそれらの任意の組合せのうちの少なくとも１つを備える、請求項６に記載の方法。
【請求項８】
前記ワイヤレス通信ネットワーク上での前記ワイヤレストランシーバの前記存在または前記不在を前記決定することに少なくとも部分的に基づいて、ワイヤレスネットワーク関係データベースを更新することをさらに備える、請求項６に記載の方法。
【請求項９】
前記ワイヤレスネットワーク関係データベースを前記更新することが、前記ワイヤレスネットワーク関係データベースから前記ワイヤレストランシーバの属性を削除することを備える、請求項８に記載の方法。
【請求項１０】
前記観測値が、前記ワイヤレストランシーバのためのワイヤレストランシーバ識別子、前記ワイヤレストランシーバの送信電力レベル、前記ワイヤレストランシーバによって送信された前記１つまたは複数の信号の受信信号強度測定値、前記ワイヤレストランシーバによって送信された前記１つまたは複数の信号の到着時間測定値、前記ワイヤレストランシーバによって送信された前記１つまたは複数の信号の飛行時間測定値、前記ワイヤレストランシーバによって送信された前記１つまたは複数の信号の到来角測定値、前記ワイヤレストランシーバによって送信された前記１つまたは複数の信号のラウンドトリップ時間測定値、あるいはそれらの任意の組合せのうちの少なくとも１つを備える、請求項１に記載の方法。
【請求項１１】
十分な正確さの前記位置フィックスが、グローバルナビゲーション衛星システム（ＧＮＳＳ）を介して取得された位置フィックスを備える、請求項１に記載の方法。
【請求項１２】
前記ワイヤレストランシーバが、ＩＥＥＥ８０２．１１規格ＷＬＡＮアクセスポイント、フェムトセル、ピコセル、またはそれらの任意の組合せのうちの少なくとも１つを備える、請求項１に記載の方法。
【請求項１３】
前記モバイルデバイスの前記メモリに記憶された前記１つまたは複数のパラメータが、前記ワイヤレストランシーバのためのワイヤレストランシーバ識別子、前記ワイヤレストランシーバのロケーション、前記ワイヤレストランシーバの推定ロケーション不確実性、前記ワイヤレストランシーバのカバレージエリア、またはそれらの任意の組合せのうちの少なくとも１つを備える、請求項１に記載の方法。
【請求項１４】
ワイヤレスネットワーク関係データベースがいっぱいであることの程度に少なくとも部分的に基づいて、前記サーバへの、十分な正確さの前記位置フィックスの前記時間期間内に取得された前記冗長観測値の送信を制限することをさらに備える、請求項１に記載の方法。
【請求項１５】
ワイヤレストランシーバによって送信され、モバイルデバイスにおいて受信された１つ複数の信号に少なくとも部分的に基づいて、前記ワイヤレストランシーバの観測値を取得するための手段と、
前記観測値が冗長観測値を備えるかどうかを決定するために前記モバイルデバイスのローカルデータベースにアクセスするための手段と、
前記冗長観測値が、前にクラウドソーシングされたワイヤレストランシーバを示すかどうかを、前記モバイルデバイスにおいて決定するための手段と、
前記観測値が、十分な正確さの位置フィックスの時間期間内に取得された場合、サーバに１つまたは複数のメッセージを送信するための手段と、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されず、および、前記冗長観測値を備える場合、前記モバイルデバイスのメモリに記憶された１つまたは複数のパラメータに少なくとも一部に基づいて、前記サーバへの前記冗長観測値の送信を制限するための手段と
を備える装置。
【請求項１６】
前記冗長観測値の前記送信を制限するための前記手段は、
前記ワイヤレストランシーバのためのワイヤレストランシーバ識別子が、前記モバイルデバイスの前記ローカルデータベース中に存在するかどうかを決定するための手段と、
前記モバイルデバイスの前記ローカルデータベース中での前記ワイヤレストランシーバ識別子の不在に少なくとも部分的に基づいて、前記サーバに前記１つまたは複数のメッセージを送信するための手段と
をさらに備える、請求項１５に記載の装置。
【請求項１７】
前記観測値のための指定された基準を取得するための手段と、
前記指定された基準に少なくとも部分的に基づいて、ワイヤレス通信ネットワーク上での前記ワイヤレストランシーバの存在または不在を決定するための手段と
をさらに備える、請求項１５に記載の装置。
【請求項１８】
前記指定された基準が、十分な正確さの前記位置フィックスの前記時間期間内に取得されない観測値の割合、十分な正確さの前記位置フィックスの前記時間期間内に取得された観測値の割合、ネットワーク関係リソースまたはサーバ関係リソースの利用可能性、地理的エリアまたは領域、前記モバイルデバイスのモデル、前記モバイルデバイスのタイプ、前記サーバへの前記１つまたは複数のメッセージの最後の送信またはアップロードのタイムスタンプ、ワイヤレスネットワーク関係データベースがいっぱいであることの程度、あるいはそれらの任意の組合せのうちの少なくとも１つを備える、請求項１７に記載の装置。
【請求項１９】
前記ワイヤレス通信ネットワーク上での前記ワイヤレストランシーバの前記存在または前記不在を前記決定することに少なくとも部分的に基づいて、ワイヤレスネットワーク関係データベースを更新するための手段をさらに備える、請求項１７に記載の装置。
【請求項２０】
前記観測値が、前記ワイヤレストランシーバのためのワイヤレストランシーバ識別子、前記ワイヤレストランシーバの送信電力レベル、前記ワイヤレストランシーバによって送信された前記１つまたは複数の信号の受信信号強度測定値、前記ワイヤレストランシーバによって送信された前記１つまたは複数の信号の到着時間測定値、前記ワイヤレストランシーバによって送信された前記１つまたは複数の信号の飛行時間測定値、前記ワイヤレストランシーバによって送信された前記１つまたは複数の信号の到来角測定値、前記ワイヤレストランシーバによって送信された前記１つまたは複数の信号のラウンドトリップ時間測定値、あるいはそれらの任意の組合せのうちの少なくとも１つを備える、請求項１５に記載の装置。
【請求項２１】
前記モバイルデバイスの前記メモリに記憶された前記１つまたは複数のパラメータが、前記ワイヤレストランシーバのためのワイヤレストランシーバ識別子、前記ワイヤレストランシーバのロケーション、前記ワイヤレストランシーバの推定ロケーション不確実性、前記ワイヤレストランシーバのカバレージエリア、またはそれらの任意の組合せのうちの少なくとも１つを備える、請求項１５に記載の装置。
【請求項２２】
前記ワイヤレストランシーバの前記ロケーションが、グローバル座標系、ローカル座標系、またはそれらの任意の組合せのうちの少なくとも１つに関して取得される、請求項２１に記載の装置。
【請求項２３】
電子通信ネットワークと通信するためのワイヤレストランシーバと、
メモリにおよび前記ワイヤレストランシーバに結合された１つまたは複数のプロセッサと
を備えるモバイルデバイス
を備える装置であって、ここにおいて、前記１つまたは複数のプロセッサは、
ワイヤレストランシーバによって送信され、前記モバイルデバイスにおいて受信された１つ複数の信号に少なくとも部分的に基づいて、前記ワイヤレストランシーバの観測値を取得することと、
前記観測値が冗長観測値を備えるかどうかを決定するために前記モバイルデバイスのローカルデータベースにアクセスすることと、
前記冗長観測値が、前にクラウドソーシングされたワイヤレストランシーバを示すかどうかを、前記モバイルデバイスにおいて決定することと、
前記観測値が、十分な正確さの位置フィックスの時間期間内に取得された場合、サーバに１つまたは複数のメッセージを送信することと、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されず、および、前記冗長観測値を備える場合、前記モバイルデバイスのメモリに記憶された１つまたは複数のパラメータに少なくとも一部に基づいて、前記サーバへの前記冗長観測値の送信を制限することと
を行うように構成された、装置。
【請求項２４】
前記サーバへの前記冗長観測値の前記送信を前記制限することを行うように構成された前記１つまたは複数のプロセッサは、
前記ワイヤレストランシーバのためのワイヤレストランシーバ識別子が、前記モバイルデバイスの前記ローカルデータベース中に存在するかどうかを決定することと、
前記モバイルデバイスの前記ローカルデータベース中での前記ワイヤレストランシーバ識別子の不在に少なくとも部分的に基づいて、前記サーバに前記１つまたは複数のメッセージを送信することと
を行うようにさらに構成された、請求項２３に記載の装置。
【請求項２５】
前記１つまたは複数のプロセッサが、
前記観測値のための指定された基準を取得することと、
前記指定された基準に少なくとも部分的に基づいて、ワイヤレス通信ネットワーク上での前記ワイヤレストランシーバの存在または不在を決定することと
を行うようにさらに構成された、請求項２３に記載の装置。
【請求項２６】
前記指定された基準が、十分な正確さの前記位置フィックスの前記時間期間内に取得されない観測値の割合、十分な正確さの前記位置フィックスの前記時間期間内に取得された観測値の割合、ネットワーク関係リソースまたはサーバ関係リソースの利用可能性、地理的エリアまたは領域、前記モバイルデバイスのモデル、前記モバイルデバイスのタイプ、前記サーバへの前記１つまたは複数のメッセージの最後の送信またはアップロードのタイムスタンプ、ワイヤレスネットワーク関係データベースがいっぱいであることの程度、あるいはそれらの任意の組合せのうちの少なくとも１つを備える、請求項２５に記載の装置。
【請求項２７】
前記観測値が、前記ワイヤレストランシーバのためのワイヤレストランシーバ識別子、前記ワイヤレストランシーバの送信電力レベル、前記ワイヤレストランシーバによって送信された前記１つまたは複数の信号の受信信号強度測定値、前記ワイヤレストランシーバによって送信された前記１つまたは複数の信号の到着時間測定値、前記ワイヤレストランシーバによって送信された前記１つまたは複数の信号の飛行時間測定値、前記ワイヤレストランシーバによって送信された前記１つまたは複数の信号の到来角測定値、前記ワイヤレストランシーバによって送信された前記１つまたは複数の信号のラウンドトリップ時間測定値、あるいはそれらの任意の組合せのうちの少なくとも１つを備える、請求項２３に記載の装置。
【請求項２８】
前記モバイルデバイスの前記メモリに記憶された前記１つまたは複数のパラメータが、前記ワイヤレストランシーバのためのワイヤレストランシーバ識別子、前記ワイヤレストランシーバのロケーション、前記ワイヤレストランシーバの推定ロケーション不確実性、前記ワイヤレストランシーバのカバレージエリア、またはそれらの任意の組合せのうちの少なくとも１つを備える、請求項２３に記載の装置。
【請求項２９】
ワイヤレストランシーバによって送信され、モバイルデバイスにおいて受信された１つ複数の信号に少なくとも部分的に基づいて、前記ワイヤレストランシーバの観測値を取得することと、
前記観測値が冗長観測値を備えるかどうかを決定するために前記モバイルデバイスのローカルデータベースにアクセスすることと、
前記冗長観測値が、前にクラウドソーシングされたワイヤレストランシーバを示すかどうかを、前記モバイルデバイスにおいて決定することと、
前記観測値が、十分な正確さの位置フィックスの時間期間内に取得された場合、サーバに１つまたは複数のメッセージを送信することと、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されず、および、前記冗長観測値を備える場合、前記モバイルデバイスのメモリに記憶された１つまたは複数のパラメータに少なくとも一部に基づいて、前記サーバへの前記冗長観測値の送信を制限することと
を行うためにプロセッサによって実行可能な命令を有する非一時的記憶媒体
を備える物品。
【請求項３０】
前記サーバへの前記冗長観測値の前記送信を前記制限することを行うために前記プロセッサによって実行可能な命令を有する前記非一時的記憶媒体は、
前記ワイヤレストランシーバのためのワイヤレストランシーバ識別子が、前記モバイルデバイスの前記ローカルデータベース中に存在するかどうかを決定することと、
前記モバイルデバイスの前記ローカルデータベース中での前記ワイヤレストランシーバ識別子の不在に少なくとも部分的に基づいて、前記サーバに前記１つまたは複数のメッセージを送信することと
を行うための命令をさらに含む、請求項２９に記載の物品。 
【手続補正２】
【補正対象書類名】明細書
【補正対象項目名】００７１
【補正方法】変更
【補正の内容】
【００７１】
[0073]現在例示的な特徴と考えられることが例示され説明されたが、請求される主題から逸脱することなく、様々な他の変更が行われ得、均等物が代用され得ることが、当業者には理解されよう。さらに、本明細書で説明された中心概念から逸脱することなく、請求される主題の教示に特定の状況を適合させるための多くの変更が行われ得る。したがって、請求される主題は、開示された特定の例に限定されず、そのような請求される主題はまた、添付の特許請求の範囲内に入るすべての態様とそれらの均等物とを含み得るものとする。
以下に本願発明の当初の特許請求の範囲に記載された発明を付記する。
［Ｃ１］
モバイルデバイスにおける方法であって、
ワイヤレストランシーバによって送信され、前記モバイルデバイスにおいて受信された１つまたは複数の信号に少なくとも部分的に基づいて、前記ワイヤレストランシーバの観測値を取得することと、
前記観測値が、十分な正確さの位置フィックスの時間期間内に取得された場合、サーバに１つまたは複数のメッセージを送信することと、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されない場合、前記モバイルデバイスのメモリに記憶された１つまたは複数のパラメータに少なくとも一部に基づいて、前記サーバへの前記観測値の送信を制限することとを備える、方法。
［Ｃ２］
前記モバイルデバイスの前記メモリに記憶された前記１つまたは複数のパラメータは、前記基地局トランシーバの観測値が前記サーバにおいて受信されたかどうかを示す、Ｃ１に記載の方法。
［Ｃ３］
前記１つまたは複数のパラメータが、前記モバイルデバイスのローカルデータベース中での前記ワイヤレストランシーバの存在または不在の指示を備える、Ｃ１に記載の方法。
［Ｃ４］
前記観測値の前記送信を前記制限することは、
前記ワイヤレストランシーバのためのワイヤレストランシーバ識別子が、前記モバイルデバイスのローカルデータベース中に存在するかどうかを決定することと、
前記ローカルモバイルデータベース中での前記ワイヤレストランシーバ識別子の不在に少なくとも部分的に基づいて、前記サーバに前記１つまたは複数のメッセージを送信することとをさらに備える、Ｃ１に記載の方法。
［Ｃ５］
前記１つまたは複数のパラメータが、前記サーバから前記モバイルデバイスの前記メモリにダウンロードされる、Ｃ４に記載の方法。
［Ｃ６］
前記観測値のための指定された基準を取得することと、
前記指定された基準に少なくとも部分的に基づいて、ワイヤレス通信ネットワーク上での前記ワイヤレストランシーバの存在または不在を決定することとをさらに備える、Ｃ１に記載の方法。
［Ｃ７］
前記指定された基準が、十分な正確さの前記位置フィックスの前記時間期間内に取得されない観測値の割合、十分な正確さの前記位置フィックスの前記時間期間内に取得された観測値の割合、ネットワーク関係リソースまたはサーバ関係リソースの利用可能性、地理的エリアまたは領域、前記モバイルデバイスのモデル、前記モバイルデバイスのタイプ、前記サーバへの前記１つまたは複数のメッセージの最後の送信またはアップロードのタイムスタンプ、ワイヤレスネットワーク関係データベースがいっぱいであることの程度、あるいはそれらの任意の組合せのうちの少なくとも１つを備える、Ｃ６に記載の方法。
［Ｃ８］
前記ワイヤレス通信ネットワーク上での前記ワイヤレストランシーバの前記存在または前記不在を前記決定することに少なくとも部分的に基づいて、ワイヤレスネットワーク関係データベースを更新することをさらに備える、Ｃ６に記載の方法。
［Ｃ９］
前記ワイヤレスネットワーク関係データベースを前記更新することが、前記ワイヤレスネットワーク関係データベースから前記ワイヤレストランシーバの属性を削除することを備える、Ｃ８に記載の方法。
［Ｃ１０］
前記観測値が、前記ワイヤレストランシーバのためのワイヤレストランシーバ識別子、前記ワイヤレストランシーバの送信電力レベル、前記ワイヤレストランシーバによって送信された前記１つまたは複数の信号の受信信号強度測定値、前記ワイヤレストランシーバによって送信された前記１つまたは複数の信号の到着時間測定値、前記ワイヤレストランシーバによって送信された前記１つまたは複数の信号の飛行時間測定値、前記ワイヤレストランシーバによって送信された前記１つまたは複数の信号の到来角測定値、前記ワイヤレストランシーバによって送信された前記１つまたは複数の信号のラウンドトリップ時間測定値、あるいはそれらの任意の組合せのうちの少なくとも１つを備える、Ｃ１に記載の方法。
［Ｃ１１］
十分な正確さの前記位置フィックスが、グローバルナビゲーション衛星システム（ＧＮＳＳ）を介して取得された位置フィックスを備える、Ｃ１に記載の方法。
［Ｃ１２］
前記ワイヤレストランシーバが、ＩＥＥＥ８０２．１１規格ＷＬＡＮアクセスポイント、フェムトセル、ピコセル、またはそれらの任意の組合せのうちの少なくとも１つを備える、Ｃ１に記載の方法。
［Ｃ１３］
前記モバイルデバイスの前記メモリに記憶された前記１つまたは複数のパラメータが、前記ワイヤレストランシーバのためのワイヤレストランシーバ識別子、前記ワイヤレストランシーバのロケーション、前記ワイヤレストランシーバの推定ロケーション不確実性、前記ワイヤレストランシーバのカバレージエリア、またはそれらの任意の組合せのうちの少なくとも１つを備える、Ｃ１に記載の方法。
［Ｃ１４］
ワイヤレスネットワーク関係データベースがいっぱいであることの程度に少なくとも部分的に基づいて、前記サーバへの、十分な正確さの前記位置フィックスの前記時間期間内に取得された前記観測値の送信を制限することをさらに備える、Ｃ１に記載の方法。
［Ｃ１５］
ワイヤレストランシーバによって送信され、モバイルデバイスにおいて受信された１つ複数の信号に少なくとも部分的に基づいて、前記ワイヤレストランシーバの観測値を取得するための手段と、
前記観測値が、十分な正確さの位置フィックスの時間期間内に取得された場合、サーバに１つまたは複数のメッセージを送信するための手段と、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されない場合、前記モバイルデバイスのメモリに記憶された１つまたは複数のパラメータに少なくとも一部に基づいて、前記サーバへの前記観測値の送信を制限するための手段とを備える装置。
［Ｃ１６］
前記観測値の前記送信を制限するための前記手段は、
前記ワイヤレストランシーバのためのワイヤレストランシーバ識別子が、前記モバイルデバイスのローカルデータベース中に存在するかどうかを決定するための手段と、
前記ローカルモバイルデータベース中での前記ワイヤレストランシーバ識別子の不在に少なくとも部分的に基づいて、前記サーバに前記１つまたは複数のメッセージを送信するための手段とをさらに備える、Ｃ１５に記載の装置。
［Ｃ１７］
前記観測値のための指定された基準を取得するための手段と、
前記指定された基準に少なくとも部分的に基づいて、ワイヤレス通信ネットワーク上での前記ワイヤレストランシーバの存在または不在を決定するための手段とをさらに備える、Ｃ１５に記載の装置。
［Ｃ１８］
前記指定された基準が、十分な正確さの前記位置フィックスの前記時間期間内に取得されない観測値の割合、十分な正確さの前記位置フィックスの前記時間期間内に取得された観測値の割合、ネットワーク関係リソースまたはサーバ関係リソースの利用可能性、地理的エリアまたは領域、前記モバイルデバイスのモデル、前記モバイルデバイスのタイプ、前記サーバへの前記１つまたは複数のメッセージの最後の送信またはアップロードのタイムスタンプ、ワイヤレスネットワーク関係データベースがいっぱいであることの程度、あるいはそれらの任意の組合せのうちの少なくとも１つを備える、Ｃ１７に記載の装置。
［Ｃ１９］
前記ワイヤレス通信ネットワーク上での前記ワイヤレストランシーバの前記存在または前記不在を前記決定することに少なくとも部分的に基づいて、ワイヤレスネットワーク関係データベースを更新するための手段をさらに備える、Ｃ１７に記載の装置。
［Ｃ２０］
前記観測値が、前記ワイヤレストランシーバのためのワイヤレストランシーバ識別子、前記ワイヤレストランシーバの送信電力レベル、前記ワイヤレストランシーバによって送信された前記１つまたは複数の信号の受信信号強度測定値、前記ワイヤレストランシーバによって送信された前記１つまたは複数の信号の到着時間測定値、前記ワイヤレストランシーバによって送信された前記１つまたは複数の信号の飛行時間測定値、前記ワイヤレストランシーバによって送信された前記１つまたは複数の信号の到来角測定値、前記ワイヤレストランシーバによって送信された前記１つまたは複数の信号のラウンドトリップ時間測定値、あるいはそれらの任意の組合せのうちの少なくとも１つを備える、Ｃ１５に記載の装置。
［Ｃ２１］
前記モバイルデバイスの前記メモリに記憶された前記１つまたは複数のパラメータが、前記ワイヤレストランシーバのためのワイヤレストランシーバ識別子、前記ワイヤレストランシーバのロケーション、前記ワイヤレストランシーバの推定ロケーション不確実性、前記ワイヤレストランシーバのカバレージエリア、またはそれらの任意の組合せのうちの少なくとも１つを備える、Ｃ１５に記載の装置。
［Ｃ２２］
前記ワイヤレストランシーバの前記ロケーションが、グローバル座標系、ローカル座標系、またはそれらの任意の組合せのうちの少なくとも１つに関して取得される、Ｃ２１に記載の装置。
［Ｃ２３］
電子通信ネットワークと通信するためのワイヤレストランシーバと、
メモリにおよび前記ワイヤレストランシーバに結合された１つまたは複数のプロセッサとを備えるモバイルデバイスを備える装置であって、ここにおいて、前記１つまたは複数のプロセッサは、
ワイヤレストランシーバによって送信され、前記モバイルデバイスにおいて受信された１つ複数の信号に少なくとも部分的に基づいて、前記ワイヤレストランシーバの観測値を取得することと、
前記観測値が、十分な正確さの位置フィックスの時間期間内に取得された場合、サーバに１つまたは複数のメッセージを送信することと、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されない場合、前記モバイルデバイスのメモリに記憶された１つまたは複数のパラメータに少なくとも一部に基づいて、前記サーバへの前記観測値の送信を制限することとを行うように構成された、装置。
［Ｃ２４］
前記サーバへの前記観測値の前記送信を前記制限することを行うように構成された前記１つまたは複数のプロセッサは、
前記ワイヤレストランシーバのためのワイヤレストランシーバ識別子が、前記モバイルデバイスのローカルデータベース中に存在するかどうかを決定することと、
前記ローカルモバイルデータベース中での前記ワイヤレストランシーバ識別子の不在に少なくとも部分的に基づいて、前記サーバに前記１つまたは複数のメッセージを送信することとを行うようにさらに構成された、Ｃ２３に記載の装置。
［Ｃ２５］
前記１つまたは複数のプロセッサが、
前記観測値のための指定された基準を取得することと、
前記指定された基準に少なくとも部分的に基づいて、ワイヤレス通信ネットワーク上での前記ワイヤレストランシーバの存在または不在を決定することとを行うようにさらに構成された、Ｃ２３に記載の装置。
［Ｃ２６］
前記指定された基準が、十分な正確さの前記位置フィックスの前記時間期間内に取得されない観測値の割合、十分な正確さの前記位置フィックスの前記時間期間内に取得された観測値の割合、ネットワーク関係リソースまたはサーバ関係リソースの利用可能性、地理的エリアまたは領域、前記モバイルデバイスのモデル、前記モバイルデバイスのタイプ、前記サーバへの前記１つまたは複数のメッセージの最後の送信またはアップロードのタイムスタンプ、ワイヤレスネットワーク関係データベースがいっぱいであることの程度、あるいはそれらの任意の組合せのうちの少なくとも１つを備える、Ｃ２５に記載の装置。
［Ｃ２７］
前記観測値が、前記ワイヤレストランシーバのためのワイヤレストランシーバ識別子、前記ワイヤレストランシーバの送信電力レベル、前記ワイヤレストランシーバによって送信された前記１つまたは複数の信号の受信信号強度測定値、前記ワイヤレストランシーバによって送信された前記１つまたは複数の信号の到着時間測定値、前記ワイヤレストランシーバによって送信された前記１つまたは複数の信号の飛行時間測定値、前記ワイヤレストランシーバによって送信された前記１つまたは複数の信号の到来角測定値、前記ワイヤレストランシーバによって送信された前記１つまたは複数の信号のラウンドトリップ時間測定値、あるいはそれらの任意の組合せのうちの少なくとも１つを備える、Ｃ２３に記載の装置。
［Ｃ２８］
前記モバイルデバイスの前記メモリに記憶された前記１つまたは複数のパラメータが、前記ワイヤレストランシーバのためのワイヤレストランシーバ識別子、前記ワイヤレストランシーバのロケーション、前記ワイヤレストランシーバの推定ロケーション不確実性、前記ワイヤレストランシーバのカバレージエリア、またはそれらの任意の組合せのうちの少なくとも１つを備える、Ｃ２３に記載の装置。
［Ｃ２９］
ワイヤレストランシーバによって送信され、モバイルデバイスにおいて受信された１つ複数の信号に少なくとも部分的に基づいて、前記ワイヤレストランシーバの観測値を取得することと、
前記観測値が、十分な正確さの位置フィックスの時間期間内に取得された場合、サーバに１つまたは複数のメッセージを送信することと、前記１つまたは複数のメッセージが、前記位置フィックスに少なくとも部分的に基づいて決定された前記モバイルデバイスの推定されたロケーションをもつ前記観測値を備える、
前記観測値が、十分な正確さの前記位置フィックスの前記時間期間内に取得されない場合、前記モバイルデバイスのメモリに記憶された１つまたは複数のパラメータに少なくとも一部に基づいて、前記サーバへの前記観測値の送信を制限することと
を行うためにプロセッサによって実行可能な命令を有する非一時的記憶媒体を備える物品。
［Ｃ３０］
前記サーバへの前記観測値の前記送信を前記制限することを行うために前記プロセッサによって実行可能な命令を有する前記非一時的記憶媒体は、
前記ワイヤレストランシーバのためのワイヤレストランシーバ識別子が、前記モバイルデバイスのローカルデータベース中に存在するかどうかを決定することと、
前記ローカルモバイルデータベース中での前記ワイヤレストランシーバ識別子の不在に少なくとも部分的に基づいて、前記サーバに前記１つまたは複数のメッセージを送信することとを行うための命令をさらに含む、Ｃ２９に記載の物品。
【国際調査報告】
2018534551.tif 000007
2018534551.tif 000008